(57)【要約】【課題】多視点高解像度の立体映像データを伝送または記録するに際して、ネットワークが混雑、または記録ストレージ容量が不足してきたときに、出力する立体映像データを決定する際に用いる視点数×解像度倍数が示す数を最適化することにより、立体映像の効果を最大化する。【解決手段】入力した立体映像・その他のデータは、送信信号処理部１１により送信信号処理が行われ、送信実行部１２により送信が実行され、インターネット１３に伝送される。伝送管理部１４は伝送状態を受信する。伝送管理部１４は、回線余裕度が最大であると、送信信号処理部１１を制御して、最大視点数かつ最高解像度の立体映像データを伝送する。回線に余裕がなくなると、視点数低減、解像度低減、またはその組み合わせによるビットレート低減を行っていく。回線混雑度が最大であると、最小視点数かつ最低解像度データを伝送する。【選択図】      図１
2004328463.tif 000002
【特許請求の範囲】
【請求項１】
複数の視点のそれぞれに対応する複数の画像データからなる立体映像データのデータ量を制御する制御信号を出力する制御信号出力部と、
前記立体映像データを入力するとともに、前記制御信号出力部が出力する制御信号に基づき、入力する立体映像データのデータ量を制御するデータ量制御処理を行うデータ量制御部とを含み、
前記データ量制御部は、前記データ量制御処理として、前記制御信号出力部が出力する制御信号に基づき、入力する立体映像データと、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択し、選択した立体映像データに応じた立体映像データを出力用立体映像データとして出力することを特徴とする立体映像データ処理装置。
【請求項２】
請求項１に記載の立体映像データ処理装置において、
視点数がｎの立体映像データの最大解像度倍数を該ｎとし、解像度倍数をＡとしたＡ倍解像度を、最大解像度の立体映像データの（Ａ／ｎ）のデータ量を有する立体画像データの解像度とした際に、前記データ量制御部は、入力する立体映像データから解像度を下げた立体映像データとして、入力する立体映像データから解像度倍数を下げた立体映像データを用い、入力する立体映像データから視点数および解像度とを下げた立体映像データとして、入力する立体映像データから視点数および解像度倍数を下げた立体映像データを用いることを特徴とする立体映像データ処理装置。
【請求項３】
請求項１または２に記載の立体映像データ処理装置において、
前記制御信号出力部は、前記制御信号として、前記出力用立体映像データが送信される通信ネットワークの通信状態を示す状態情報を出力することを特徴とする立体映像データ処理装置。
【請求項４】
請求項１または２に記載の立体映像データ処理装置において、
前記制御信号出力部は、前記制御信号として、前記出力用立体映像データが記録される記録媒体の残り記録容量を示す残容量情報を出力することを特徴とする立体映像データ処理装置。
【請求項５】
請求項３に記載の立体映像データ処理装置と、前記データ量制御部が出力する出力用立体映像データを前記通信ネットワークに送信する送信部とを含むことを特徴とする立体映像データ伝送装置。
【請求項６】
請求項４に記載の立体映像データ処理装置と、前記データ量制御部が出力する出力用立体映像データを前記記録媒体に記録する記録部とを含むことを特徴とする立体映像データ記録装置。
【請求項７】
請求項５に記載の立体映像データ伝送装置において、
前記データ量制御部は、
前記立体映像データとして、複数の視点の数がｎであり該複数の視点のそれぞれに対応する複数の画像データのそれぞれ最大解像度倍数が該ｎである立体映像データを用い、前記ｎの約数を、ｎ（１）、ｎ（２）、・・・、ｎ（ｋ）［ただし、ｎ（１）＜ｎ（２）＜・・・＜ｎ（ｋ）］とし、解像度倍数をＡとしたＡ倍解像度を、最大解像度の立体映像データの（Ａ／ｎ）のデータ量を有する立体画像データの解像度とした際に、
前記出力用立体映像データとして、
ｎ視点ｎ倍解像度の立体映像データを有する第１の出力用立体映像データと、
前記第１の出力用立体映像データよりもデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとを有する第２の出力用立体映像データと、
前記第２の出力用立体映像データよりもデータ量が少なく、前記第２の出力用立体映像データが有する立体映像データから該第２の出力用立体映像データが有する立体映像データの一部を除いた残りの立体映像データを有する第３の出力用立体映像データと、
第（ｘ−１）の出力用立体映像データよりもデータ量が少なく、該第（ｘ−１）の立体映像データが有する立体映像データから該第（ｘ−１）の立体映像データが有する立体映像データの一部を除いた立体映像データを有する第ｘの出力用立体映像データと（ただし、ｘは４以上の整数とする。）、
１視点１倍解像度の立体映像データのみを有する第ｙの出力用立体映像データとを、
前記通信ネットワークの通信状態を示す状態情報に基づき、択一的に出力することを特徴とする立体映像データ伝送装置。
【請求項８】
請求項６に記載の立体映像データ記録装置において、
前記データ量制御部は、
前記立体映像データとして、複数の視点の数がｎであり該複数の視点のそれぞれに対応する複数の画像データのそれぞれ最大解像度倍数が該ｎである立体映像データを用い、前記ｎの約数を、ｎ（１）、ｎ（２）、・・・、ｎ（ｋ）［ただし、ｎ（１）＜ｎ（２）＜・・・＜ｎ（ｋ）］とし、解像度倍数をＡとしたＡ倍解像度を、最大解像度の立体映像データの（Ａ／ｎ）のデータ量を有する立体画像データの解像度とした際に、
前記出力用立体映像データとして、
ｎ視点ｎ倍解像度の立体映像データを有する第１の出力用立体映像データと、
前記第１の出力用立体映像データよりもデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとを有する第２の出力用立体映像データと、
前記第２の出力用立体映像データよりもデータ量が少なく、前記第２の出力用立体映像データが有する立体映像データから該第２の出力用立体映像データが有する立体映像データの一部を除いた残りの立体映像データを有する第３の出力用立体映像データと、
第（ｘ−１）の出力用立体映像データよりもデータ量が少なく、該第（ｘ−１）の立体映像データが有する立体映像データから該第（ｘ−１）の立体映像データが有する立体映像データの一部を除いた立体映像データを有する第ｘの出力用立体映像データと（ただし、ｘは４以上の整数とする。）、
１視点１倍解像度の立体映像データのみを有する第ｙの出力用立体映像データとを、
前記記録媒体の残り記録容量を示す残容量情報に基づき、択一的に出力することを特徴とする立体映像データ記録装置。
【請求項９】
請求項５に記載の立体映像データ伝送装置において、
前記データ量制御部は、
前記立体映像データとして、複数の視点の数がｎであり該複数の視点のそれぞれに対応する複数の画像データのそれぞれ最大解像度が該ｎである立体映像データを用い、前記ｎの約数を、ｎ（１）、ｎ（２）、・・・、ｎ（ｋ）［ただし、ｎ（１）＜ｎ（２）＜・・・＜ｎ（ｋ）］とし、解像度倍数をＡとしたＡ倍解像度を、最大解像度の立体映像データの（Ａ／ｎ）のデータ量を有する立体画像データの解像度とした際に、
前記出力用立体映像データとして、
ｎ視点ｎ倍解像度の立体映像データを有する第１の出力用立体映像データと、
前記第１の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとを有する第２の出力用立体映像データと、
前記第２の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとの中から１種類の立体映像データを除いた残りの立体映像データを有する第３の出力用立体映像データと、
前記第３の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとの中から２種類の立体映像データを除いた残りの立体映像データを有する第４の出力用立体映像データと、
第（ｍ−１）の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとの中から（ｍ−２）種類の立体映像データを除いた残りの立体映像データを有する第ｍの出力用立体映像データと（ただし、ｍは５以上かつｘ未満の整数とする。）、
第（ｘ−１）の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとのうちの１種類の立体映像データのみを有する第ｘの出力用立体映像データと、
前記第ｘの出力用立体映像データよりデータ量が少なく、ｎ（ｋ）視点１倍解像度の立体映像データを有する第（ｘ＋１）の出力用立体映像データと、
前記第（ｘ＋１）の出力用立体映像データよりデータ量が少なく、ｎ（ｋ−１）視点１倍解像度の立体映像データを有する第（ｘ＋２）の出力用立体映像データと、
第（ｘ＋ａ）の出力用立体映像データよりデータ量が少なく、ｎ（ｋ−ａ）視点１倍解像度の立体映像データを有する第（ｘ＋ａ＋１）の出力用立体映像データと（ただし、ａは２以上の整数かつｋ−１未満の整数）、
第（ｘ＋ｋ−１）の出力用立体映像データよりデータ量が少なく、ｎ（１）視点１倍解像度の立体映像データを有する第（ｘ＋ｋ）の出力用立体映像データと、
前記第（ｘ＋ｋ）の出力用立体映像データよりデータ量が少なく、１視点１倍解像度の立体映像データを有する第（ｘ＋ｋ＋１）の出力用立体映像データとを前記通信ネットワークの通信状態を示す状態情報に基づき、択一的に出力することを特徴とする立体映像データ伝送装置。
【請求項１０】
請求項６に記載の立体映像データ記録装置において、
前記データ量制御部は、
前記立体映像データとして、複数の視点の数がｎであり該複数の視点のそれぞれに対応する複数の画像データのそれぞれ最大解像度が該ｎである立体映像データを用い、前記ｎの約数を、ｎ（１）、ｎ（２）、・・・、ｎ（ｋ）［ただし、ｎ（１）＜ｎ（２）＜・・・＜ｎ（ｋ）］とし、解像度倍数をＡとしたＡ倍解像度を、最大解像度の立体映像データの（Ａ／ｎ）のデータ量を有する立体画像データの解像度とした際に、
前記出力用立体映像データとして、
ｎ視点ｎ倍解像度の立体映像データを有する第１の出力用立体映像データと、
前記第１の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとを有する第２の出力用立体映像データと、
前記第２の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとの中から１種類の立体映像データを除いた残りの立体映像データを有する第３の出力用立体映像データと、
前記第３の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとの中から２種類の立体映像データを除いた残りの立体映像データを有する第４の出力用立体映像データと、
第（ｍ−１）の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとの中から（ｍ−２）種類の立体映像データを除いた残りの立体映像データを有する第ｍの出力用立体映像データと（ただし、ｍは５以上かつｘ未満の整数とする。）、
第（ｘ−１）の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとのうちの１種類の立体映像データのみを有する第ｘの出力用立体映像データと、
前記第ｘの出力用立体映像データよりデータ量が少なく、ｎ（ｋ）視点１倍解像度の立体映像データを有する第（ｘ＋１）の出力用立体映像データと、
前記第（ｘ＋１）の出力用立体映像データよりデータ量が少なく、ｎ（ｋ−１）視点１倍解像度の立体映像データを有する第（ｘ＋２）の出力用立体映像データと、
第（ｘ＋ａ）の出力用立体映像データよりデータ量が少なく、ｎ（ｋ−ａ）視点１倍解像度の立体映像データを有する第（ｘ＋ａ＋１）の出力用立体映像データと（ただし、ａは２以上の整数かつｋ−１未満の整数）、
第（ｘ＋ｋ−１）の出力用立体映像データよりデータ量が少なく、ｎ（１）視点１倍解像度の立体映像データを有する第（ｘ＋ｋ）の出力用立体映像データと、
前記第（ｘ＋ｋ）の出力用立体映像データよりデータ量が少なく、１視点１倍解像度の立体映像データを有する第（ｘ＋ｋ＋１）の出力用立体映像データとを前記記録媒体の残り記録容量を示す残容量情報に基づき択一的に出力することを特徴とする立体映像データ記録装置。
【請求項１１】
請求項５または７または９に記載の立体映像データ伝送装置において、
前記制御信号出力部は、前記通信ネットワークの回線余裕度を前記状態情報により示し、前記データ量制御部は、前記状態情報が示す通信ネットワークの回線余裕度が少なくなるにつれて前記出力用立体映像データのデータ量を少なくしていくことを特徴とする立体映像データ伝送装置。
【請求項１２】
請求項６または８または１０に記載の立体映像データ記録装置において、
前記データ量制御部は、前記残容量情報が示す記録媒体の残り記録容量が少なくなるにつれて前記出力用立体映像データのデータ量を少なくしていくことを特徴とする立体映像データ記録装置。
【請求項１３】
請求項６または８または１０または１２に記載の立体映像データ記録装置において、
前記データ量制御部は、入力する立体映像データとして、前記記録媒体に記録済みの出力用立体映像データおよび／または前記記録媒体に未記録の立体映像データを用いることを特徴とする立体映像データ記録装置。
【請求項１４】
請求項６または８または１０または１２に記載の立体映像データ記録装置において、
前記記録媒体は、データ量削減の優先度を示す再圧縮フラグが付加された前記出力用立体映像データを記録してあり、
前記データ量制御部は、
データ量を制御する立体映像データとして、前記記録媒体に記録済みの出力用立体映像データを用い、
データ量削減の優先度が高いことを示す再圧縮フラグが付加された出力用立体映像データからデータ量削減の優先度が低いことを示す再圧縮フラグが付加された出力用立体映像データへという順番で前記データ量制御処理を行うことによって該再圧縮フラブが付加された出力用立体映像データのデータ量を削減するとともに、データ量を削減した出力用立体映像データを出力し、
前記制御信号出力部は、前記データ量制御部によりデータ量が削減された出力用立体映像データが前記記録媒体に記録されていた領域を開放することを特徴とする立体映像データ記録装置。
【請求項１５】
請求項１４に記載の立体映像データ記録装置において、
前記データ量制御部は、
前記残容量情報が前記記録媒体の残り記録容量が一定値以下になったことを示すごとに、データ量削減の優先度が高いことを示す再圧縮フラグが付加された出力用立体映像データからデータ量削減の優先度が低いことを示す再圧縮フラグが付加された出力用立体映像データへという順番で前記データ量制御処理を行うことによって該再圧縮フラブが付加された出力用立体映像データのデータ量を削減するとともに、データ量を削減した出力用立体映像データを出力し、
前記残容量情報が前記記録媒体の残り記録容量が一定値以下になったことを示すごとに、出力用立体映像データのデータ量の削減率を上げていくことを特徴とする立体映像データ記録装置。
【請求項１６】
請求項６または８または１０または１２または１４に記載の立体映像データ記録装置において、
前記記録媒体は、データ量削減の優先度を示す再圧縮フラグが付加された前記出力用立体映像データを記録してあり、
前記データ量制御部は、
データ量を制御する立体映像データとして、前記記録媒体に記録済みの出力用立体映像データを用い、
前記データ量制御処理を行うことによって、データ量削減の優先度が高いことを示す再圧縮フラグが付加された出力用立体映像データのデータ量の削減率が、データ量削減の優先度が低いことを示す再圧縮フラグが付加された出力用立体映像データのデータ量の削減率より大きくなるように、再圧縮フラブが付与された出力用立体映像データのデータ量を削減するとともに、データ量を削減した出力用立体映像データを出力し、
前記制御信号出力部は、前記データ量制御部によりデータ量が削減された出力用立体映像データが前記記録媒体に記録されていた領域を開放することを特徴とする立体映像データ記録装置。
【請求項１７】
請求項１６に記載の立体映像データ記録装置において、
前記データ量制御部は、
前記残容量情報が前記記録媒体の残り記録容量が一定値以下になったことを示すごとに、前記データ量制御処理を行うことによって、データ量削減の優先度が高いことを示す再圧縮フラグが付加された出力用立体映像データのデータ量の削減率が、データ量削減の優先度が低いことを示す再圧縮フラグが付加された出力用立体映像データのデータ量の削減率より大きくなるように、再圧縮フラブが付与された出力用立体映像データのデータ量を削減するとともに、データ量を削減した出力用立体映像データを出力し、
前記残容量情報が前記記録媒体の残り記録容量が一定値以下になったことを示すごとに、前記再圧縮フラグが付加された各々の出力用立体映像データのデータ量の削減率を大きくしていくことを特徴とする立体映像データ記録装置。
【請求項１８】
請求項１４に記載の立体映像データ記録装置において、
前記データ量制御部は、
前記残容量情報が前記記録媒体の残り記録容量が一定値以下になったことを示すごとに、前記データ量制御処理を行うことによって、データ量削減の優先度が高いことを示す再圧縮フラグが付加された出力用立体映像データのデータ量の削減率が、データ量削減の優先度が低いことを示す再圧縮フラグが付加された出力用立体映像データのデータ量の削減率より大きくなるように、再圧縮フラブが付与された１つの出力用立体映像データのデータ量を削減するとともに、データ量を削減した出力用立体映像データを出力し、
前記残容量情報が前記記録媒体の残り記録容量が一定値以下になったことを示すごとに、前記再圧縮フラグが付加された各々の出力用立体映像データのデータ量の削減率を大きくしていくことを特徴とする立体映像データ記録装置。
【請求項１９】
請求項１４ないし１８のいずれかに記載の立体映像データ記録装置において、
前記記録媒体は、データを消去可能であることを示す再圧縮フラグが付加された前記出力用立体映像データを記録してあり、
前記制御信号出力部は、前記記録媒体の残り記録容量に基づき、前記記録媒体の中で前記データを消去可能であることを示す再圧縮フラグが付加された出力用立体映像データが記録されている記録領域を開放することを特徴とする立体映像データ記録装置。
【請求項２０】
請求項１４ないし１９のいずれかに記載の立体映像データ記録装置において、
前記再圧縮フラグを手動にて設定するための再圧縮フラグ手動設定部をさらに含むことを特徴とする立体映像データ記録装置。
【請求項２１】
請求項１４ないし１９のいずれかに記載の立体映像データ記録装置において、
前記再圧縮フラグを自動的に設定する再圧縮フラグ自動設定部をさらに含むことを特徴とする立体映像データ記録装置。
【請求項２２】
請求項２１に記載の立体映像データ記録装置において、
立体映像データによって表示される映像のジャンルに対しての優先度を手動にて設定するための分類優先度手動設定部をさらに含み、
前記再圧縮フラグ自動設定部は、前記分類優先度手動設定部にて設定されたジャンルに対する優先度に対応する前記再圧縮フラグを自動的に設定することを特徴とする立体映像データ記録装置。
【請求項２３】
請求項２１に記載の立体映像データ記録装置において、
前記記録媒体に記録される立体映像データおよび／または前記記録媒体から読み取られる立体映像データに基づき、立体映像データによって表示される映像のジャンルに対しての優先度を自動的に設定する分類優先度自動設定部をさらに含み、
前記再圧縮フラグ自動設定部は、前記分類優先度自動設定部にて設定されたジャンルに対しての優先度に対応する前記再圧縮フラグを自動的に設定することを特徴とする立体映像データ記録装置。
【請求項２４】
請求項２３に記載の立体映像データ記録装置において、
前記分類優先度自動設定部は、
立体映像データによって表示される映像のジャンルごとに、前記記録媒体に記録された立体映像データの総記録時間をカウントするとともに該ジャンルごとの総記録時間に第１の係数を乗じ、
立体映像データによって表示される映像のジャンルごとに、前記記録媒体から読み取られた立体映像データの総再生時間をカウントするとともに該ジャンルごとの総再生時間に第２の係数を乗じ、
前記第１の係数を乗じた前記ジャンルごとの総記録時間と前記第２の係数を乗じた前記ジャンルごとの総再生時間とを、前記ジャンルごとに加算し、該加算して得られた時間の長さに基づいて前記ジャンルに対しての優先度を自動的に設定することを特徴とする立体映像データ記録装置。
【請求項２５】
請求項２１に記載の立体映像データ記録装置において、
立体映像データによって表示される映像のジャンルに対しての優先度が予め規定されている優先度規定部をさらに含み、
前記再圧縮フラグ自動設定部は、前記優先度規定部にて規定されているジャンルに対しての優先度に対応する前記再圧縮フラグを自動的に設定することを特徴とする立体映像データ記録装置。
【請求項２６】
請求項２１に記載の立体映像データ記録装置において、
前記再圧縮フラグ自動設定部は、前記記録媒体に記録される立体映像データのデータ量に基づき、前記記録媒体に記録される立体映像データに付加する再圧縮フラグを自動的に設定することを特徴とする立体映像データ記録装置。
【請求項２７】
請求項２１ないし２６のいずれかに記載の立体映像データ記録装置において、
前記再圧縮フラグ自動設定部は、前記記録媒体から仮消去された立体映像データに対してデータ量削減の優先度が高いことを示す再圧縮フラグを付与することを特徴とする立体映像データ記録装置。
【請求項２８】
請求項２１ないし２６のいずれかに記載の立体映像データ記録装置において、
前記再圧縮フラグ自動設定部は、前記記録媒体から仮消去された立体映像データを含む該記録媒体に連続して記録された立体映像データに対して、データ量削減の優先度が高いことを示す再圧縮フラグを付与することを特徴とする立体映像データ記録装置。
【発明の詳細な説明】
【０００１】
【発明の属する技術分野】
本発明は、多視点高解像度の立体映像データのデータ量を制御する立体映像データ処理装置に関する。
【０００２】
また、本発明は、多視点高解像度の立体映像データのデータ量を制御してインターネットへ伝送する立体映像データ伝送装置および多視点高解像度の立体映像データのデータ量を制御してＤＶＤレコーダまたはハードディスクレコーダなどの記録媒体に記録する立体映像データ記録装置に関する。
【０００３】
【従来の技術】
立体映像データは、複数の視点のそれぞれに対応する複数の画像データからなる。言い換えると、立体映像データは、１つの表示画素に対応する画像データを複数の視点ごとに有している。
【０００４】
従来、立体映像データを圧縮して出力する立体映像圧縮装置を備えたシステムとして、図１８に示されるシステムが提案されている。
【０００５】
図１８に示したシステムは、画像圧縮部１８０４と、送信・記録部１８０５と、受信・再生部１８０６と、画像伸長部１８０７とを備える。
【０００６】
画像圧縮部１８０４は、左目画像データ（図１８において「○」で示した部分）１８０２と右目画像データ（図１８において「×」で示した部分）１８０３とから構成された２視点立体映像データ１８０１を入力し、入力する２視点立体映像データ１８０１を圧縮する。画像圧縮部１８０４は、圧縮した２視点立体映像データを送信・記録部１８０５へ出力する。
【０００７】
送信・記録部１８０５は、画像圧縮部１８０４で圧縮された２視点立体映像データをインターネット等の通信ネットワークへ送信する。また、送信・記録部１８０５は、画像圧縮部１８０４で圧縮された２視点立体映像データをディスク等の記録媒体（ストレージ）へ記録する。
【０００８】
受信・再生部１８０６は、通信ネットワークを介して入力する２視点立体映像データの圧縮データを受信し、受信した２視点立体映像データの圧縮データを画像伸長部１８０７へ出力する。また、受信・再生部１８０６は、記録媒体から２視点立体映像データの圧縮データを読み取り、読み取った２視点立体映像データの圧縮データを画像伸長部１８０７へ出力する。
【０００９】
画像伸長部１８０７は、受信・再生部１８０６が出力する２視点立体映像データの圧縮データを立体画像として伸長処理を施して２視点立体映像データ１８０８を生成する。
【００１０】
立体映像データのインターネットへの伝送中にネットワークが混雑して立体映像データのビットレートを低減しなければならなくなった場合、画像圧縮部１８０４で画像圧縮率を上げることにより立体映像データのデータ量を削減して、ビットレートを低減している。
【００１１】
また、立体映像データの記録媒体への記録中に記録媒体の残記録容量が不足して立体映像データを十分記録できる余裕がなくなり、立体映像データのビットレートを低減しなければならなくなった場合、画像圧縮部１８０４で画像圧縮率を上げることにより立体映像データのデータ量を削減して、ビットレートを低減している。
【００１２】
画像圧縮部１８０４での画像圧縮は、立体映像データが有する複数の視点に対応する複数の画像データのすべてに対して画像圧縮率を上げて、複数の画像データのすべてのビットレートを低減している。この場合、各視点のそれぞれに対応する複数の画像の解像度がすべて下がり、各視点のそれぞれに対応する複数の画像の画質がすべて劣化する。
【００１３】
【発明が解決しようとする課題】
画像圧縮部１８０４の画像圧縮率を上げて立体映像データのビットレートを低減する場合、以下のような問題点がある。
【００１４】
立体映像データの中には、各視点に対応するすべての画像の解像度を下げて画質が劣化するように立体映像データを削減するより、立体映像データの視点数を低減し、残った視点に対応する画像の解像度を維持するようにデータ量を削減した方が望ましいものがある。
【００１５】
画像圧縮部１８０４の画像圧縮率を上げて複数の映像データのすべての画質を低下させる場合、立体映像データの視点数を低減し、残った視点に対応する画像の解像度が維持するようにデータ量を削減することができないので、画像圧縮部１８０４により画像圧縮された立体映像データに基づいた映像の品質は、本来求めていた品質に対して劣化してしまう。
【００１６】
また、立体映像データの中には、各視点に対応するすべての画像の解像度を下げて画質が劣化するように立体映像データを削減するより、立体映像データの視点数を低減し、残った視点に対応する画像の解像度を低減するようにデータ量を削減した方が望ましいものがある。
【００１７】
画像圧縮部１８０４の画像圧縮率を上げて複数の画像データのすべての画質を低下させる場合、立体映像データの視点数を低減し、残った視点に対応する画像の解像度を低減するようにデータ量を削減することができないので、画像圧縮部１８０４により画像圧縮された立体映像データに基づいた映像の品質は、本来求めていた品質に対して劣化してしまう。
【００１８】
本発明の第１の目的は、立体映像データのデータ量を制御する際に、立体映像データの視点数を低減し、残った視点に対応する画像の解像度を維持するようにデータ量を削減する、または立体映像データの視点数を低減し、残った視点に対応する画像の解像度を低減するようにデータ量を削減することが可能な立体映像データ処理装置を提供することである。
【００１９】
本発明の第２の目的は、立体映像データを送信する通信ネットワークの状態に基づき立体映像データのデータ量を制御する際に、立体映像データの視点数を低減し、残った視点に対応する画像の解像度を維持するようにデータ量を削減する、または立体映像データの視点数を低減し、残った視点に対応する画像の解像度を低減するようにデータ量を削減することが可能な立体映像データ伝送装置を提供することである。
【００２０】
本発明の第３の目的は、立体映像データを記録する記録媒体の残記憶容量に基づき立体映像データのデータ量を制御する際に、立体映像データの視点数を低減し、残った視点に対応する画像の解像度を維持するようにデータ量を削減する、または立体映像データの視点数を低減し、残った視点に対応する画像の解像度を低減するようにデータ量を削減することが可能な立体映像データ記憶装置を提供することである。
【００２１】
【課題を解決するための手段】
上記目的を達成するために、本発明の立体映像データ処理装置、立体映像データ伝送装置および立体映像データ記録装置は、複数の視点のそれぞれに対応する複数の画像データからなる立体映像データのデータ量を制御する制御信号を出力する制御信号出力部と、前記立体映像データを入力するとともに、前記制御信号出力部が出力する制御信号に基づき、入力する立体映像データのデータ量を制御するデータ量制御処理を行うデータ量制御部とを含み、前記データ量制御部は、前記データ量制御処理として、前記制御信号出力部が出力する制御信号に基づき、入力する立体映像データと、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択し、選択した立体映像データに応じた立体映像データを出力用立体映像データとして出力することを特徴とする。
【００２２】
【作用】
本発明によれば、データ量制御部が、データ量制御処理として、制御信号出力部が出力する制御信号に基づき、入力する立体映像データと、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択し、選択した立体映像データに応じた立体映像データを出力用立体映像データとして出力する。
【００２３】
したがって、制御信号に基づき所望の立体映像データを適応的に選択することが可能となり、この選択により、制御信号に基づき立体映像データのデータ量を削減する際に、立体映像データの視点数を低減し、残った視点に対応する画像の解像度を維持するようにデータ量を削減する、または立体映像データの視点数を低減し、残った視点に対応する画像の解像度を低減するようにデータ量を削減することが可能となる。
【００２４】
【発明の実施の形態】
以下、本発明の実施の形態を図面に示す実施例に基づき説明する。
【００２５】
図１は、本発明の一実施例の立体映像データ伝送装置を示したブロック図である。
【００２６】
図１において、本実施例の立体映像データ伝送装置は、立体映像データ処理装置１０と送信実行部１２とを備える。立体映像データ処理装置１０は、送信信号処理部１１と伝送管理部１４とを備える。
【００２７】
本実施例の立体映像データ伝送装置は、送信信号処理部１１が、入力する立体映像データのデータ量を通信ネットワーク１３の回線余裕度に応じて制御するデータ量制御処理を行う。
【００２８】
送信信号処理部１１に入力する立体映像データは、複数の視点のそれぞれに対応する複数の映像データからなる。
【００２９】
データ量制御部としての送信信号処理部１１は、伝送管理部１４が出力する制御信号に基づき、入力する立体映像データのデータ量を制御するデータ量制御処理を行うとともに、データ量を制御した立体映像データを出力用立体映像データとして送信実行部１２へ出力する。
【００３０】
送信信号処理部１１は、データ量制御処理として、伝送管理部１４が出力する制御信号に基づき、入力する立体映像データと、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択し、選択した立体映像データに応じた立体映像データを出力用立体映像データとして出力する。
【００３１】
さらに言えば、視点数がｎの立体映像データの最大解像度倍数を該ｎとし、解像度倍数をＡとしたＡ倍解像度を、最大解像度の立体映像データの（Ａ／ｎ）のデータ量を有する立体画像データの解像度とした際に、送信信号処理部１１は、入力する立体映像データから解像度を下げた立体映像データとして、入力する立体映像データから解像度倍数を下げた立体映像データを用い、入力する立体映像データから視点数および解像度とを下げた立体映像データとして、入力する立体映像データから視点数および解像度倍数を下げた立体映像データを用いる。
【００３２】
したがって、送信信号処理部１１は、入力する立体映像データのデータ量を削減する際、立体映像データが有する複数の画像データの中の少なくとも２つの画像データのデータ量が互いに異なるように立体映像データのデータ量を削減可能となる。
【００３３】
送信信号処理部１１は、入力する立体映像データと異なるその他のデータに対して所定のデータ理を行い、所定のデータ処理を施したその他のデータを送信実行部１２へ出力する。
【００３４】
送信部としての送信実行部１２は、送信信号処理部１１が出力する出力用立体映像データをインターネットなどの通信ネットワーク１３へ送信する。また、送信実行部１２は、送信信号処理部１１が出力する所定のデータ量制御処理を施したその他のデータを通信ネットワーク１３へ送信する。
【００３５】
制御信号出力部としての伝送管理部１４は、立体映像データのデータ量を制御する制御信号を出力する。
【００３６】
具体的には、伝送管理部１４は、送信実行部１２が行う通信ネットワークへの出力用立体映像データの伝送状態を通信ネットワーク１３から受信し、受信した伝送状態に基づき、通信ネットワーク１３の回線余裕度を示す状態情報を制御信号として出力する。
【００３７】
送信信号処理部１１は、伝送管理部１４が出力する制御信号に基づきデータ量制御処理を行うことにより、伝送管理部１４が出力する状態情報が示す通信ネットワークの回線余裕度が少なくなるにつれて出力用立体映像データのデータ量を少なくしていく。
【００３８】
具体的には、伝送管理部１４が出力する状態情報が示す通信ネットワークの回線余裕度が最大であるとき、送信信号処理部１１は、最大視点数かつ最高解像度の立体映像データを選択し、選択した最大視点数かつ最高解像度の立体映像データを出力用立体映像データとして出力する。
【００３９】
最大視点数かつ最高解像度の立体映像データには、視点数と解像度との少なくともいずれか一方が異なる複数種類の立体映像データの種類数が最も多く含まれる。以下、このときの立体映像データの種類数を最大種類数と称する。
【００４０】
伝送管理部１４は、受信した伝送状態に基づき、通信ネットワーク１３の回線余裕度が最大より少なくなり、送信実行部１２から送信する立体映像データのビットレートを下げなければならないと判断すると、通信ネットワーク１３の回線余裕度が最大より少なくことを示す状態情報を送信信号処理部１１に出力する。
【００４１】
送信信号処理部１１は、通信ネットワーク１３の回線余裕度が最大より少なくことを示す状態情報を受信すると、データ量制御処理を行って、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択する。
【００４２】
送信信号処理部１１は、選択した立体映像データによって構成される立体映像データを出力用立体映像データとして出力する。
【００４３】
よって、送信信号処理部１１は、出力用立体映像データに含まれる、視点数と解像度との少なくともいずれか一方が異なる複数種類の立体映像データの種類数を最大種類数より少なくするように立体映像データのデータ量を削減するデータ量制御処理を行う。
【００４４】
伝送管理部１４は、受信した伝送状態に基づき、通信ネットワーク１３の回線余裕度が最小であり、送信実行部１２から送信する立体映像データのビットレートをできるだけ下げなければならないと判断すると、通信ネットワーク１３の回線余裕度が最小であることを示す状態情報を送信信号処理部１１に出力する。
【００４５】
送信信号処理部１１は、通信ネットワーク１３の回線余裕度が最小であることを示す状態情報を受信すると、データ量制御処理を行って、最小視点数かつ最低解像度の立体映像データを選択し、選択した最小視点数かつ最低解像度の立体映像データ出力用立体映像データとして出力する。
【００４６】
本実施例は、送信信号処理部１１が、伝送管理部１４が出力する制御信号に基づき、入力する立体映像データと、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択し、選択した立体映像データに応じた立体映像データを出力用立体映像データとして出力する。
【００４７】
したがって、出力用立体映像データに含まれる立体映像データの状態を視点数と解像度に基づいて変更可能となり、立体映像データのデータ量を削減する際に、立体映像データの視点数を低減し、残った視点に対応する画像の解像度を維持するようにデータ量を削減する、または立体映像データの視点数を低減し、残った視点に対応する画像の解像度を低減するようにデータ量を削減することが可能となる。
【００４８】
図２は、本発明の他の実施例の立体映像データ記録装置を示したブロック図である。
【００４９】
図２において、本実施例の立体映像データ記録装置は、立体映像データ処理装置２０と、記録実行部２２と、記録媒体２３と、再生実行部２４と、再生信号処理部２５と、入力部２８とを備える。立体映像データ処理装置２０は、データ量制御部２０１とディスク管理部２６とを備える。データ量制御部２０１は、記録信号処理部２１と再圧縮部２７とを備える。
【００５０】
本実施例の立体映像データ記録装置は、記録信号処理部２１が、記録媒体２３に新たに記録しようとしている立体映像データのデータ量を記録媒体２３の残記録容量に応じて制御するデータ量制御処理を行う。
【００５１】
また、本実施例の立体映像データ記録装置は、再圧縮部２７が、記録媒体２３に既に記録されている立体映像データのデータ量を記録媒体２３の残記録容量に応じて削減するデータ量制御処理を行う。
【００５２】
記録信号処理部２１に入力する立体映像データは、複数の視点のそれぞれに対応する複数の映像データからなる。
【００５３】
データ量制御部としての記録信号処理部２１は、ディスク管理部２６が出力する制御信号に基づき、入力する立体映像データのデータ量を制御するデータ量制御処理を行うとともに、データ量を制御した立体映像データを出力用立体映像データとして記録実行部２２へ出力する。なお、記録信号処理部２１は、出力用立体映像データを記録用信号に変換して出力するが、本例では、記録用信号に変換した出力用立体映像データも含めて出力用立体映像データと称する。
【００５４】
記録信号処理部２１は、データ量制御処理として、ディスク管理部２６が出力する制御信号に基づき、入力する立体映像データと、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択し、選択した立体映像データに応じた立体映像データを出力用立体映像データとして出力する。
【００５５】
さらに言えば、視点数がｎの立体映像データの最大解像度倍数を該ｎとし、解像度倍数をＡとしたＡ倍解像度を、最大解像度の立体映像データの（Ａ／ｎ）のデータ量を有する立体画像データの解像度とした際に、記録信号処理部２１は、入力する立体映像データから解像度を下げた立体映像データとして、入力する立体映像データから解像度倍数を下げた立体映像データを用い、入力する立体映像データから視点数および解像度とを下げた立体映像データとして、入力する立体映像データから視点数および解像度倍数を下げた立体映像データを用いる。
【００５６】
したがって、記録信号処理部２１は、入力する立体映像データのデータ量を削減する際、立体映像データが有する複数の画像データの中の少なくとも２つの画像データのデータ量が互いに異なるように立体映像データのデータ量を削減可能となる。
【００５７】
記録信号処理部２１は、入力する立体映像データと異なるその他のデータに対して所定のデータ処理を行い、所定のデータ処理を施したその他のデータを記録実行部２２へ出力する。
【００５８】
記録部としての記録実行部２２は、記録信号処理部２１が出力する出力用立体映像データをハードディスク等の記録媒体２３に記録する。また、記録実行部２２は、記録信号処理部２１が出力する所定のデータ処理を施したその他のデータを記録媒体２３に記録する。
【００５９】
記録媒体２３に記録される出力用立体映像データ（記録信号変換済み出力用立体映像データ）すなわち立体映像データには、データ量削減の優先度を示す再圧縮フラグが付加される。
【００６０】
再生実行部２４は、記録媒体２３に記録されている立体映像データおよびその他のデータを読み出し、読み出した立体映像データおよびその他のデータを再生信号処理部２５に出力する。
【００６１】
また、再生実行部２４は、記録媒体２３に記録されている立体映像データの中から、再圧縮フラグに基づいてディスク管理部２６が指定する立体映像データを読み出す。なお、再圧縮フラグに基づいて読み出された立体映像データは、再圧縮部２７によりデータ量が削減された後、再度記録媒体２３に記録される。ディスク管理部２６は、再圧縮フラグに基づいて読み出された立体映像データ記録媒体２３に記録されていた領域を開放する。
【００６２】
再生信号処理部２５は、再生実行部２４が読み出した立体映像データおよびその他のデータの再生処理を行い、立体映像データおよびその他のデータを復元し、復元した立体映像データおよびその他のデータを出力する。なお、復元する処理は、記録信号変換済み出力用立体映像データを記録信号変換前の出力用立体映像データに復元する処理である。
【００６３】
また、再生信号処理部２５は、再圧縮フラグに基づいて記録媒体２３から読み出される立体映像データの再生処理を行い、立体映像データを復元し、復元した立体映像データを再圧縮部２７へ出力する。なお、復元する処理は、記録信号変換済み出力用立体映像データを出力用立体映像データに復元する処理である。
【００６４】
データ量制御部としての再圧縮部２７は、ディスク管理部２６が出力する制御信号に基づき、再生信号処理部２５が出力する立体映像データのデータ量を制御するデータ量制御処理を行うとともに、データ量を制御した立体映像データを出力用立体映像データとして記録信号処理部２１へ出力する。なお、記録信号処理部２１は、再圧縮部２７が出力する出力用立体映像データを記録用信号に変換して出力する。
【００６５】
再圧縮部２７は、データ量制御処理として、ディスク管理部２６が出力する制御信号に基づき、入力する立体映像データと、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択し、選択した立体映像データに応じた立体映像データを出力用立体映像データとして出力する。
【００６６】
さらに言えば、視点数がｎの立体映像データの最大解像度倍数を該ｎとし、解像度倍数をＡとしたＡ倍解像度を、最大解像度の立体映像データの（Ａ／ｎ）のデータ量を有する立体画像データの解像度とした際に、再圧縮部２７は、入力する立体映像データから解像度を下げた立体映像データとして、入力する立体映像データから解像度倍数を下げた立体映像データを用い、入力する立体映像データから視点数および解像度とを下げた立体映像データとして、入力する立体映像データから視点数および解像度倍数を下げた立体映像データを用いる。
【００６７】
したがって、再圧縮部２７は、入力する立体映像データのデータ量を削減する際、立体映像データが有する複数の画像データの中の少なくとも２つの画像データのデータ量が互いに異なるように立体映像データのデータ量を削減可能となる。
【００６８】
制御信号出力部としてのディスク管理部２６は、立体映像データのデータ量を制御する制御信号を出力する。
【００６９】
具体的には、ディスク管理部２６は、記録媒体２３に記録されたコンテンツ（本実施例では、立体映像データがコンテンツに相当する。）の管理データを発生し、発生した管理データを記録媒体２３に記録し、記録媒体２３に記録した管理データを再生するとともに、管理データにより記録媒体２３を管理する。
【００７０】
ディスク管理部２６は、管理データに基づき、記録媒体２３の残記録容量を示す残容量情報を制御信号として出力する。
【００７１】
記録信号処理部２１は、ディスク管理部２６が出力する制御信号に基づきデータ量制御処理を行うことにより、ディスク管理部２６が出力する残容量情報が示す記録媒体２３の残記録容量が少なくなるにつれて出力用立体映像データのデータ量を少なくしていく。
【００７２】
具体的には、ディスク管理部２６が出力する残容量情報が示す記録媒体２３の残記録容量が第１の所定値以上であるとき、記録信号処理部２１は、最大視点数かつ最高解像度の立体映像データを選択し、選択した最大視点数かつ最高解像度の立体映像データを出力用立体映像データとして出力する。
【００７３】
最大視点数かつ最高解像度の立体映像データには、視点数と解像度との少なくともいずれか一方が異なる複数種類の立体映像データの種類数が最も多く含まれる。以下、このときの立体映像データの種類数を最大種類数と称する。
【００７４】
ディスク管理部２６は、管理データに基づき、記録媒体２３の残記録容量が、第１の所定値より少なくかつ第１の所定値よりも小さい第２の所定値以上であり、記録信号処理部２１から出力する立体映像データのビットレートを下げなければならないと判断すると、記録媒体２３の残記録容量が第１の所定値より少なく第２の所定値以上であることを示す残容量情報を記録信号処理部２１に出力する。
【００７５】
記録信号処理部２１は、記録媒体２３の残記録容量が第１の所定値より少なく第２の所定値以上であることを示す残容量情報を受信すると、データ量制御処理を行い、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択する。
【００７６】
記録信号処理部２１は、選択した立体映像データによって構成される立体映像データを出力用立体映像データとして出力する。
【００７７】
よって、記録信号処理部２１は、出力用立体映像データに含まれる、視点数と解像度との少なくともいずれか一方が異なる複数種類の立体映像データの種類数を最大種類数より少なくするように立体映像データのデータ量を削減するデータ量制御処理を行う。
【００７８】
ディスク管理部２６は、管理データに基づき、記録媒体２３の残記録容量が第２の所定値より少なく、記録信号処理部２１が出力する立体映像データのデータ量を削減しなければならないと判断すると、記録媒体２３の残記録容量が第２の所定値より少ないことを示す残容量情報を記録信号処理部２１に出力する。
【００７９】
記録信号処理部２１は、記録媒体２３の残記録容量が第２の所定値より少ないことを示す残容量情報を受信すると、最小視点数かつ最低解像度の立体映像データを選択し、選択した最小視点数かつ最低解像度の立体映像データを出力用立体映像データとして出力する。
【００８０】
また、再圧縮部２７は、ディスク管理部２６が出力する制御信号に基づきデータ量制御処理を行って、出力用立体映像データのデータ量を制御する。
【００８１】
例えば、第１の例として、再圧縮部２７は、データ量削減の優先度が高いことを示す再圧縮フラグが付加された出力用立体映像データからデータ量削減の優先度が低いことを示す再圧縮フラグが付加された出力用立体映像データへという順番で、データ量制御処理を行うことによって再圧縮フラブが付加された出力用立体映像データのデータ量を削減するとともにデータ量を削減した出力用立体映像データを出力する。
【００８２】
ディスク管理部２６は、再圧縮部２７によりデータ量が削減された出力用立体映像データが記録されていた記録領域を開放する。
【００８３】
第１の例の場合、再圧縮部２７は、ディスク管理部２６が記録媒体２３の残り記録容量が一定値以下になったことを示すごとに、データ量削減の優先度が高いことを示す再圧縮フラグが付加された出力用立体映像データからデータ量削減の優先度が低いことを示す再圧縮フラグが付加された出力用立体映像データへという順番で前記データ量制御処理を行って再圧縮フラブが付加された出力用立体映像データのデータ量を削減し、データ量を削減した出力用立体映像データを出力し、記録媒体２３の残り記録容量が一定値以下になるごとに、出力用立体映像データのデータ量の削減率を上げていくようにしてもよい。
【００８４】
また、第１の例の場合、再圧縮部２７は、残容量情報が一定値以下になったことを示すごとに、前記データ量制御処理を行うことによって、データ量削減の優先度が高いことを示す再圧縮フラグが付加された出力用立体映像データのデータ量の削減率が、データ量削減の優先度が低いことを示す再圧縮フラグが付加された出力用立体映像データのデータ量の削減率より大きくなるように、再圧縮フラブが付与された１つの出力用立体映像データのデータ量を削減するとともに、データ量を削減した出力用立体映像データを出力し、残容量情報が一定値以下になったことを示すごとに、再圧縮フラグが付加された各々の出力用立体映像データのデータ量の削減率を大きくしていくようにしてもよい。
【００８５】
第２の例としては、再圧縮部２７は、前記データ量制御処理を行うことによって、データ量削減の優先度が高いことを示す再圧縮フラグが付加された出力用立体映像データのデータ量の削減率が、データ量削減の優先度が低いことを示す再圧縮フラグが付加された出力用立体映像データのデータ量の削減率より大きくなるように、再圧縮フラブが付与された出力用立体映像データのデータ量を削減するとともに、データ量を削減した出力用立体映像データを出力する。
【００８６】
第２の例の場合、再圧縮部２７は、残容量情報が記録媒体２３の残り記録容量が一定値以下になったことを示すごとに、前記データ量制御処理を行うことによって、データ量削減の優先度が高いことを示す再圧縮フラグが付加された出力用立体映像データのデータ量の削減率が、データ量削減の優先度が低いことを示す再圧縮フラグが付加された出力用立体映像データのデータ量の削減率より大きくなるように、再圧縮フラブが付与された出力用立体映像データのデータ量を削減するとともに、データ量を削減した出力用立体映像データを出力し、記録媒体２３の残り記録容量が一定値以下になるごとに、再圧縮フラグが付加された各々の出力用立体映像データのデータ量の削減率を大きくしていくようにしてもよい。
【００８７】
また、再圧縮部２７は、第１の例と第２の例とを組み合わせて行ってもよい。
【００８８】
再圧縮フラグ手動設定部および分類優先度手動設定部としての入力部２８は、キー入力等の手動入力部であり、再圧縮フラグを手動にて設定するためのものであり、また、立体映像データによって表示される映像のジャンルに対しての優先度を手動にて設定するためのものである。
【００８９】
次に、ｎ視点ｎ倍解像度の立体映像データのデータ量を制御するデータ量制御処理について説明する。
【００９０】
ｎ視点の立体映像データとは、共通の物体を互いに異なるｎ個の視点から撮影した際に得られるｎ個の視点のそれぞれに対応したｎ種類の画像データからなる立体映像データである。
【００９１】
なお、ｎ視点ｎ倍解像度の立体映像データのデータ量を制御するデータ量制御処理は、図１に示した送信信号処理部１１と図２に示した記録信号処理部２１および再圧縮部２７が実行する。
【００９２】
以下、ｎ視点ｎ倍解像度の立体映像データのデータ量を制御するデータ量制御処理につき、ｎ＝６とした６視点６倍解像度の立体映像データを例にして説明する。
【００９３】
６視点立体映像データは、ｎ＝６なので、６視点６倍解像度が最大視点数×最大解像度倍数となる。
【００９４】
ｎの約数を、ｎ（１）、ｎ（２）、・・・、ｎ（ｋ）［ただし、ｎ（１）＜ｎ（２）＜・・・＜ｎ（ｋ）］と定義すると、６の約数は２、３のため、ｎ（１）＝２、ｎ（２）＝３、ｋ＝２となる
次に、本発明の実施例における立体映像データの視点数と解像度倍数に関して説明する。
【００９５】
図３は、６視点１倍解像度の立体映像データの例を示した図である。
【００９６】
図３において、３１は、６視点１倍解像度の立体映像のデータを画素単位で配置した図である。
【００９７】
３２で示した（○）が第１視点に対応した画像データ、３３で示した（●）が第２視点に対応した画像データ、３４で示した（□）が第３視点に対応した画像データ、３５で示した（■）が第４視点に対応した画像データ、３６で示した（◇）が第５視点に対応した画像データ、３７で示した（◆）が第６視点に対応した画像データである。
【００９８】
図３に示した画像データの第１行目の右に示した数字は画素ナンバーである。６視点の画像データのそれぞれが、画素ナンバー１、７、１３、１９、２５、・・・と、６画素おきに配置されている。本発明の実施例では、６画素おきに６視点全データが配置される映像データを、１倍解像度と定義する。
【００９９】
図４は、図３に示した立体映像データの解像度を６倍とした、６視点６倍解像度の立体映像データの例を示した図である。
【０１００】
図４において、４１は第１視点（○）に対応した画像データを示しているが、画素ナンバーは１、２、３、・・・と全ナンバーを持ち、図３に比べて６倍の解像度となっている。
【０１０１】
４２は第２視点（●）に対応した画像データ、４３は第３視点（□）に対応した画像データ、４４は第４視点（■）に対応した画像データ、４５は第５視点（◇）に対応した画像データ、４６は第６視点（◆）に対応した画像データを示しているが、これらの画像データも、すべて全画素ナンバーを持つ６倍解像度となっており、図４に示した立体映像データは６視点６倍解像度の立体映像データとなる。
【０１０２】
なお、図４に示した立体映像データは、６視点６倍解像度の立体映像データを有するだけでなく、ｎとしての６の約数に関連する視点数および解像度倍数を有する立体映像データとして、６視点１倍解像度の立体映像データと、３視点２倍解像度の立体映像データと、２視点３倍解像度の立体映像データと、１視点６倍解像度の立体映像データとを有する。
【０１０３】
さらに言えば、図４に示した立体映像データは、６の約数に関連する視点数および解像度倍数を有する立体映像データとして、さらに、３視点１倍解像度の立体映像データと、２視点１倍解像度の立体映像データと、１視点１倍解像度の立体映像データと、２視点２倍解像度の立体映像データと、１視点２倍解像度の立体映像データと、１視点３倍解像度の立体映像データとを有する。
【０１０４】
よって、図４に示した６視点６倍解像度の立体映像データは、６の約数に関連する視点数および解像度倍数を有する立体映像データとして、視点数と解像度との少なくともいずれか一方が異なる１１種類の立体映像データを含む。
【０１０５】
図５は、３視点２倍解像度の立体映像データの例を示した図である。
【０１０６】
図５において、５１は、３視点２倍解像度の立体映像データを画素単位で配置した例を示す。
【０１０７】
５２で示す（○）が第１視点に対応する画像データ、５３で示す（●）が第２視点に対応する画像データ、５４で示す（□）が第３視点に対応する画像データである。
【０１０８】
図５においては、３視点の画像データのそれぞれが、画素ナンバー１、４、７、１０、１３、１６、・・・と、３画素おきに配置されている。本発明の実施例では、６画素おきに配置される映像データを１倍解像度と定義しているため、３画素おきに配置される立体映像データは２倍解像度となる。
【０１０９】
図６は、２視点３倍解像度の立体映像データの例を示した図である。２視点立体映像データは、左目画像データと右目画像データからなる立体映像データを示す。
【０１１０】
図６において、６１は、２視点３倍解像度の立体映像データを画素単位で配置した例を示す。６２で示す（○）が第１視点に対応する画像データ、６３で示す（●）が第２視点に対応する画像データである。
【０１１１】
図６においては、２視点の映像データのそれぞれが、画素ナンバー１、３、５、７、９、１１、１３、１５、１７、・・・と、２画素おきに配置されている。本発明の実施例では、６画素おきに配置される立体映像データを１倍解像度と定義しているため、２画素おきに配置される立体映像データは３倍解像度となる。
【０１１２】
図７は、１視点６倍解像度の立体映像データの例を示した図である。１視点立体映像データは、通常の平面映像を示す。
【０１１３】
図７において、７１は、１視点６倍解像度の立体映像データ（平面映像）を画素単位で配置した例を示す。７２で示す（○）が第１視点に対応する画像データである。
【０１１４】
図７においては、１視点の映像データが画素ナンバー１、２、３、４、５、６、・・・と、全ナンバーを持っている。本発明の実施例では、６画素おきに配置される映像を１倍解像度と定義しているため、全画素ナンバーを持つ立体映像データは６倍解像度となる。
【０１１５】
なお、図７に示した立体映像データは、１視点６倍解像度の立体映像データを有するだけでなく、６の約数に関連する視点数および解像度倍数を有する立体映像データとして、６視点１倍解像度の立体映像データと、３視点１倍解像度の立体映像データと、２視点１倍解像度の立体映像データと、１視点１倍解像度の立体映像データとを有する。
【０１１６】
図８は、３視点１倍解像度の立体映像データの例を示した図である。
【０１１７】
図８において、８１は、３視点１倍解像度の立体映像データを画素単位で配置した例を示す。８２で示す（○）が第１視点に対応する画像データ、８３で示す（●）が第２視点に対応する画像データ、８４で示す（□）が第３視点に対応する画像データである。図８においては、３視点の画像データのそれぞれが、６画素おきに配置されているため、１倍解像度となる。
【０１１８】
図９は、２視点１倍解像度の立体映像データの例を示した図である。
【０１１９】
図９において、９１は、２視点１倍解像度の立体映像データを画素単位で配置した例を示す。９２で示す（○）が第１視点に対応する画像データ、９３で示す（●）が第２視点に対応する画像データである。２視点の画像データは６画素おきに配置されているため、１倍解像度となる。
【０１２０】
図１０は、１視点１倍解像度の立体映像データの例を示した図である。
【０１２１】
図１０において、１０１は、１視点１倍解像度の立体映像データを画素単位で配置した例を示す。１０２で示す（○）が第１視点に対応する画像データであり、１視点の画像データは６画素おきに配置されているため、１倍解像度となる。
【０１２２】
図１１は、図３に示す６視点１倍解像度の立体映像データと、図５に示す３視点２倍解像度の立体映像データと、図６に示す２視点３倍解像度の立体映像データと、図７に示す１視点６倍解像度の立体映像データと、図８に示す３視点１倍解像度の立体映像データと、図９に示す２視点１倍解像度の立体映像データと、図１０に示す１視点１倍解像度の立体映像データとのずべてを含む立体映像データのうち、最もデータ量が少ない立体映像データを示した図である。
【０１２３】
図１１において、１１１は第１視点（○）に対応する画像データを示しており、１、２、３、・・・と全画素のデータを有している。１１２は第２視点（●）に対応する画像データを示しており、１、３、４、５、・・・と全画素の２／３のデータを有している。１１３は第３視点（□）に対応する画像データを示しており、１、４、・・・と全画素の１／３のデータを有している。１１４は第４視点（■）に対応する画像データ、１１５は第５視点（◇）に対応する画像データ、１１６は第６視点（◆）に対応する画像データをそれぞれ示しており、各々は１、７、・・・と全画素の１／６のデータを有している。
【０１２４】
６視点６倍解像度の立体映像データは図１１に示す立体映像データに含まれないので、図１１に示す立体映像データに含まれる、視点数と解像度との少なくともいずれか一方が異なる立体映像データの数は、図４に示した６視点６倍解像度の立体映像データの含まれる、視点数と解像度との少なくともいずれか一方が異なる立体映像データの数よりも少なくなる。
【０１２５】
次に、６視点６倍解像度の立体映像データのデータ量を制御するデータ量制御処理について説明する。
【０１２６】
図１に示した立体映像データ伝送装置においては、通信ネットワーク１３の回線余裕度が最大であり、最高ビットレートで伝送可能なとき、送信信号処理部１１は、伝送管理部１４が出力する制御信号に基づき、６視点６倍解像度の立体映像データを選択し、選択した６視点６倍解像度の立体映像データを出力用立体映像データとして出力する。６視点６倍解像度の立体映像データを出力するということは、図４に示す全データを出力することである。
【０１２７】
図２に示した立体映像データ記録装置においては、残記録可能領域に十分な余裕（第１の所定値以上の残記録容量）があり、最高ビットレートで記録可能なとき、記録信号処理部２１は、ディスク管理部２６が出力する制御信号に基づき、６視点６倍解像度の立体映像データを選択し、選択した６視点６倍解像度の立体映像データを出力用立体映像データとして出力する。６視点６倍解像度の立体映像データを出力するということは、図４に示す全データを出力することである。
【０１２８】
図１２は、図４に示す全データを出力する場合の一例を示した図である。
【０１２９】
図１２において、第１視点に対応した画像データ１２１と、第２視点に対応した画像データ１２２と、第３視点に対応した画像データ１２３と、第４視点に対応した画像データ１２４と、第５視点に対応した画像データ１２５と、第６視点に対応した画像データ１２６とを同じ画面中の空間的に異なった位置に配置してある。
【０１３０】
図１２では、第１視点に対応した画像データ１２１を画面左上、第２視点に対応した画像データ１２２を画面右上、第３視点に対応した画像データ１２３を画面左中央、第４視点に対応した画像データ１２４を画面右中央、第５視点に対応した画像データ１２５を画面左下、第６視点に対応した画像データ１２６を右下に配置している。
【０１３１】
なお、各画像データの配置順は、図１２に限るものではなく、適宜変更可能である。
【０１３２】
図１３は、各画像データの配置順を図１２と異なるようにした例を示した図である。
【０１３３】
図１３では、第１視点に対応した画像データ１３１を最左端に配置し、第２視点に対応した画像データ１３２を第１視点に対応した画像データ１３１の右に配置し、第３視点に対応した画像データ１３３を第２視点に対応した画像データ１３２の右に配置し、第４視点に対応した画像データ１３４を第３視点に対応した画像データ１３３の右に配置し、第５視点に対応した画像データ１３５を第４視点に対応した画像データ１３４の右に配置し、第６視点に対応した画像データ１３６を最右端に配置している。
【０１３４】
また、例えば、図１２に示す第１視点に対応した画像データ１２１と、図１３に示す第１視点に対応した画像データ１３１とを、図４に示す第１視点に対応した画像データ４１と同じ構成で配置しなくてもよい。
【０１３５】
例えば、図４に示す第１視点に対応した画像データ４１が１７６画素×２４０ラインとすると、図１２に示す第１視点に対応した画像データ１２１と図１３に示す第１視点に対応した画像データ１３１とを３５２画素×１２０ラインまたは８８画素×４８０ラインなどとしてもよい。
【０１３６】
なお、図１２に示す各画像データ１２２〜１２６および図１２に示す各画像データ１３２〜１３６も第１視点に対応した画像データと同様に変更可能である。
【０１３７】
送信信号処理部１１または記録信号処理部２１が行うデータ量制御処理により、図１２または図１３に示すように配置された立体映像データは、送信信号処理部１１または記録信号処理部２１によって非圧縮または高ビットレートに圧縮される。
【０１３８】
なお、送信信号処理部１１または記録信号処理部２１の圧縮方式は限定されるものではないが、ＭＰＥＧ−２またはＭＰＥＧ−４またはＨ．２６４をベースとした立体映像圧縮方式を用いることが好ましい。
【０１３９】
図１の立体映像信号伝送装置の場合、送信信号処理部１１により非圧縮または高ビットレートに圧縮された立体映像データは、通信実行部１２により、通信ネットワーク１３に送信される。
【０１４０】
図２の立体映像信号記録装置の場合、記録信号処理部２１により非圧縮または高ビットレートに圧縮された立体映像データは、記録実行部２２により、記録媒体２３に記録される。
【０１４１】
図１の立体映像データ伝送装置において、送信信号処理部１１が、図１２または図１３に示す６視点６倍解像度の立体映像データを出力しているときに、通信ネットワーク１３の伝送帯域が下がって回線余裕度が最大よりも少なくなると、送信信号処理部１１は、立体映像データが有する複数の画像データの中の少なくとも２つの画像データのデータ量が互いに異なるように立体映像データのデータ量を削減する。
【０１４２】
具体的には、送信信号処理部１１は、伝送管理部１４が出力する制御信号に基づき、入力する立体映像データから視点数を下げた立体映像データと入力する立体映像データから解像度倍数を下げた立体映像データと入力する立体映像データから視点数および解像度倍数とを下げた立体映像データの中から所望の立体映像データを１つまたは複数選択し、選択した立体映像データによって構成される立体映像データを出力用立体映像データとする。
【０１４３】
図２の立体映像データ記録装置において、記録信号処理装置２１が、図１２または図１３に示す６視点６倍解像度の立体映像データを出力しているときに、記録媒体２３の残り記録容量が第１の所定値よりも少なく第２の所定値以上となると、立体映像データが有する複数の画像データの中の少なくとも２つの画像データのデータ量が互いに異なるように立体映像データのデータ量を削減する。
【０１４４】
具体的には、記録信号処理部２１は、ディスク管理部２６が出力する制御信号に基づき、入力する立体映像データから視点数を下げた立体映像データと入力する立体映像データから解像度倍数を下げた立体映像データと入力する立体映像データから視点数および解像度倍数とを下げた立体映像データの中から所望の立体映像データを１つまたは複数選択し、選択した立体映像データによって構成される立体映像データを出力用立体映像データとする。
【０１４５】
本発明の実施例では、所望の立体映像データと、この所望の立体映像データによって構成される立体映像データとして、以下のデータを用いる。
【０１４６】
なお、以下の所望の立体映像データによって構成される立体映像データは、視点数と解像度との少なくともいずれか一方が異なる複数種類の立体映像データの種類数を６視点６倍解像度の立体映像データよりも少なくした立体映像データとなる。
【０１４７】
所望の立体映像データは、図３に示す６視点１倍解像度の立体映像データと、図５に示す３視点２倍解像度の立体映像データと、図６に示す２視点３倍解像度の立体映像データと、図７に示す１視点６倍解像度の立体映像データと、図８に示す３視点１倍解像度の立体映像データと、図９に示す２視点１倍解像度の立体映像データおよび、図１０に示す１視点１倍解像度の立体映像データである。
【０１４８】
所望の立体映像データにより構成される立体映像データは、具体的には、図１１に示す各画像データ１１１〜１１６を有する立体映像データとなる。なお、図１１に示した立体映像データが有する立体映像データの視点数および解像倍数は、それぞれ最大視点数および最大解像度であるｎとしての６の約数とする。
【０１４９】
図１４は、図１１に示す全データを出力する場合の一例を示した図である。
【０１５０】
図１４において、第１視点に対応した画像データ１４１を最左端に配置し、第２視点に対応した画像データ１４２を第１視点に対応した画像データ１４１の右に配置し、第３視点に対応した画像データ１４３を第２視点に対応した画像データ１４２の右に配置し、第４視点に対応した画像データ１４４を第３視点に対応した画像データ１４３の右に配置し、第５視点に対応した画像データ１４５を第４視点に対応した画像データ１４４の右に配置し、第６視点に対応した画像データ１４６を最右端に配置している。
【０１５１】
送信信号処理部１１または記録信号処理部２１が行うデータ量制御処理により、図１４に示すように配置された立体映像データは、送信信号処理部１１または記録信号処理部２１によって非圧縮または高〜中ビットレートに圧縮される。圧縮方式は問わないが、ＭＰＥＧ−２、ＭＰＥＧ−４、Ｈ．２６４をベースとした立体映像圧縮方式が好ましい。
【０１５２】
非圧縮または高〜中ビットレートに圧縮された図１４に対応する立体映像データは、非圧縮、圧縮どちらの場合でも、図１２、図１３の６視点６倍解像度の立体映像データと比較すると、ビットレートは低減しており、伝送帯域または必要記録ストレージ容量は低減する。
【０１５３】
また、出力される立体映像データが有する複数の画像データの中の少なくとも２つの画像データのデータ量が互いに異なるので、データ量を低減しながら、立体映像データの視点数を低減し、残った視点に対応する画像の解像度を維持するようにデータ量を削減する、またはデータ量を低減しながら、立体映像データの視点数を低減し、残った視点に対応する画像の解像度を低減するようにデータ量を削減することが可能となる。
【０１５４】
なお、６視点画素データの配置順は、図１４に限らず、適宜変更可能である。
【０１５５】
また、例えば、図１４に示す第１視点に対応した画像データ１４１を図１１に示す第１視点に対応した画像データ１１１と同じ構成で配置しなくてもよい。
【０１５６】
例えば、図１１に示す第１視点に対応した画像データ１１１が１７６画素×２４０ラインとすると、図１４に示す第１視点に対応した画像データ１４１を３５２画素×１２０ライン、８８画素×４８０ラインなどとしてもよい。
【０１５７】
なお、図１４に示す各画像データ１４２〜１４６も第１視点に対応した画像データと同様に変更可能である。
【０１５８】
図１の立体映像データ伝送装置において、送信信号処理部１１が、図１４に示す立体映像データを出力しているときに、通信ネットワーク１３の伝送帯域がさらに下がって回線余裕度がさらに少なくなると、送信信号処理部１１は、選択している所望の立体映像データを変更することにより、出力用立体映像データのデータ量を削減する。
【０１５９】
図２の立体映像データ記録装置において、記録信号処理装置２１が、図１４に示す立体映像データを出力しているときに、記録媒体２３の残り記録容量が第２の所定値よりも少なくなると、記録信号処理部２１は、選択している所望の立体映像データを変更することにより、出力用立体映像データのデータ量を削減する。
【０１６０】
図１４に示した立体映像データからデータ量を削減してビットレートを低減する第１の例を示す。
【０１６１】
なお、以下に示すデータ量削減処理は、送信信号処理部１１と記録信号処理部２１が行うものである。
【０１６２】
所望の立体映像データとして図３に示す６視点１倍解像度、図８に示す３視点１倍解像度、図６に示す２視点３倍解像度、図７に示す１視点６倍解像度という４種類の立体映像データを選択し、選択した立体映像データによって構成される立体映像データを出力用立体映像データとして出力する。
【０１６３】
そして、さらに伝送帯域が下がり、または残記録可能領域が減ってきて、ビットレートを下げることが必要になったとき、所望の立体映像データとして図３に示す６視点１倍解像度、図８に示す３視点１倍解像度、図９に示す２視点１倍解像度、図７に示す１視点６倍解像度という４種類の立体映像データを選択し、選択した立体映像データによって構成される立体映像データを出力用立体映像データとして出力する。
【０１６４】
そして、さらに伝送帯域が下がり、または残記録可能領域が減ってきて、ビットレートを下げることが必要になったとき、所望の立体映像データとして図３に示す６視点１倍解像度、図８に示す３視点１倍解像度、図９に示す２視点１倍解像度、図１０に示す１視点１倍解像度という４種類の立体映像データを選択し、選択した立体映像データによって構成される立体映像データを出力用立体映像データとして出力する。
【０１６５】
そして、さらに伝送帯域が下がり、または残記録可能領域が減ってきて、ビットレートを下げることが必要になったとき、所望の立体映像データとして図８に示す３視点１倍解像度、図９に示す２視点１倍解像度、図１０に示す１視点１倍解像度という３種類の立体映像データを選択し、選択した立体映像データによって構成される立体映像データを出力用立体映像データとして出力する。
【０１６６】
そして、さらに伝送帯域が下がり、または残記録可能領域が減ってきて、ビットレートを下げることが必要になったとき、所望の立体映像データとして図９に示す２視点１倍解像度、図１０に示す１視点１倍解像度という２種類の立体映像データを選択し、選択した立体映像データによって構成される立体映像データを出力用立体映像データとして出力する。
【０１６７】
そして、さらに伝送帯域が下がり、または残記録可能領域が減ってきて、ビットレートを下げることが必要になったとき、所望の立体映像データとして図１０に示す１視点１倍解像度という１種類の立体映像データを選択し、選択した立体映像データによって構成される立体映像データを出力用立体映像データとして出力する。
【０１６８】
なお、立体映像データからデータ量を削減する第１の例は、前記削減方法に限るものではなく、所望の立体映像データとして選択する立体映像データの視点数×解像度倍数で示される数を下げる方向であれば、前記順序でなくてもよく、適宜変更可能である。
【０１６９】
また、例えば図１４を初期状態としてビットレート低減（データ量削減）を開始してもよい。
【０１７０】
第１の例として示した立体映像データのデータ量の制御を含むデータ量制御処理を、立体映像データの視点数をｎとした一般例によって示すと以下のようになる。
【０１７１】
立体映像データとして、複数の視点の数がｎであり該複数の視点のそれぞれに対応する複数の画像データのそれぞれ最大解像度倍数が該ｎである立体映像データを用い、前記ｎの約数を、ｎ（１）、ｎ（２）、・・・、ｎ（ｋ）［ただし、ｎ（１）＜ｎ（２）＜・・・＜ｎ（ｋ）］とし、解像度倍数をＡとしたＡ倍解像度を、最大解像度の立体映像データの（Ａ／ｎ）のデータ量を有する立体画像データの解像度とする。
【０１７２】
送信信号処理部１１と記録信号処理部２１は、ｎ視点ｎ倍解像度の立体映像データを有する第１の出力用立体映像データと、前記第１の出力用立体映像データよりもデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとを有する第２の出力用立体映像データと、前記第２の出力用立体映像データよりもデータ量が少なく、前記第２の出力用立体映像データが有する立体映像データから該第２の出力用立体映像データが有する立体映像データの一部を除いた残りの立体映像データを有する第３の出力用立体映像データと、第（ｘ−１）の出力用立体映像データよりもデータ量が少なく、該第（ｘ−１）の立体映像データが有する立体映像データから該第（ｘ−１）の立体映像データが有する立体映像データの一部を除いた立体映像データを有する第ｘの出力用立体映像データと（ただし、ｘは４以上の整数とする。）、１視点１倍解像度の立体映像データのみを有する第ｙの出力用立体映像データとを、通信ネットワーク１３の通信状態または記録媒体２３の残記録容量に基づき、択一的に出力する。
【０１７３】
次に、図１４に示した立体映像データからデータ量を削減してビットレートを低減する第２の例を示す。
【０１７４】
なお、以下に示すデータ量削減処理は、送信信号処理部１１と記録信号処理部２１が行うものである。
【０１７５】
所望の立体映像データとして、図３に示す６視点１倍解像度、図５に示す３視点２倍解像度、図６に示す２視点３倍解像度、図７に示す１視点６倍解像度という４種類の立体映像データの中から３種類の立体映像データを選択し、選択した選択した立体映像データのすべてを有する立体映像データを出力用立体映像データとして出力する。
【０１７６】
なお、６視点１倍解像度または３視点２倍解像度の立体映像データを出力すれば、自動的に３視点１倍解像度も出力されることになる。
【０１７７】
また、６視点１倍解像度または２視点３倍解像度の立体映像データを出力すれば、自動的に２視点１倍解像度の立体映像データも出力され、６視点１倍解像度または３視点２倍解像度または２視点３倍解像度または１視点６倍解像度の立体映像データを出力すれば自動的に１視点１倍解像度の立体映像データも出力されることになる。
【０１７８】
６視点１倍解像度、３視点２倍解像度、２視点３倍解像度、１視点６倍解像度という４種類の立体映像データのうち、３種類の立体映像データを出力しているとき、伝送帯域が下がり、または残記録可能領域が減ってきて、ビットレートを下げることが必要になったとき、さらに視点数×解像度によって示される数を低減するものとして、前記３種類の立体映像データのうちの２種類の立体映像データを所望の立体映像データとして選択し、選択した立体映像データによって構成される立体映像データを出力する。
【０１７９】
ここでも、６視点１倍解像度または３視点２倍解像度の立体映像データを出力すれば、自動的に３視点１倍解像度の立体映像データも出力される。
【０１８０】
また、６視点１倍解像度または２視点３倍解像度の立体映像データを出力すれば、自動的に２視点１倍解像度の立体映像データも出力され、６視点１倍解像度または３視点２倍解像度または２視点３倍解像度または１視点６倍解像度の立体映像データを出力すれば、自動的に１視点１倍解像度の立体映像データを出力することになる。
【０１８１】
６視点１倍解像度、３視点２倍解像度、２視点３倍解像度、１視点６倍解像度という４種類の立体映像データのうち、２種類の立体映像データを出力しているとき、伝送帯域が下がり、または残記録可能領域が減ってきて、ビットレートを下げることが必要になったとき、さらに視点数×解像度によって示される数を低減するものとして、前記２種類の立体映像データのうちの１種類の立体映像データを所望の立体映像データとして選択し、選択した立体映像データによって構成される立体映像データを出力する。
【０１８２】
ここでも、６視点１倍解像度または３視点２倍解像度の立体映像データを出力すれば、自動的に３視点１倍解像度の立体映像データも出力録されることになる。
【０１８３】
また、６視点１倍解像度または２視点３倍解像度の立体映像データを出力すれば、自動的に２視点１倍解像度の立体映像データも出力され、６視点１倍解像度または３視点２倍解像度または２視点３倍解像度または１視点６倍解像度の立体映像データを出力すれば、自動的に１視点１倍解像度の立体映像データを出力することになる。
【０１８４】
６視点１倍解像度、３視点２倍解像度、２視点３倍解像度、１視点６倍解像度という４種類の立体映像データのうち、１種類の立体映像データを出力しているとき、伝送帯域が下がり、または残記録可能領域が減ってきて、ビットレートを下げることが必要になったとき、さらに視点数×解像度で示す数を低減するものとして、以下のようにデータ量を制御する。
【０１８５】
出力している立体映像データが６視点１倍解像度のとき、３視点１倍解像度の立体映像データを選択し、選択した３視点１倍解像度の立体映像データを出力する。
【０１８６】
出力している立体映像データが３視点２倍解像度のとき、３視点１倍解像度の立体映像データを選択し、選択した３視点１倍解像度の立体映像データを出力する。
【０１８７】
出力している立体映像データが２視点３倍解像度のとき、２視点１倍解像度の立体映像データを選択し、選択した２視点１倍解像度の立体映像データを出力する。
【０１８８】
出力している立体映像データが１視点６倍解像度のとき、１視点３倍解像度の立体映像データを選択し、選択した１視点３倍解像度の立体映像データを出力する。
【０１８９】
３視点１倍解像度または１視点３倍解像度の立体映像データを出力しているとき、伝送帯域が下がり、または残記録可能領域が減ってきて、ビットレートを下げることが必要になったとき、さらに視点数×解像度で示す数を低減するものとして、２視点１倍解像度または１視点２倍解像度の立体映像データを選択し、選択した２視点１倍解像度または１視点２倍解像度の立体映像データを出力する。
【０１９０】
そして、２視点１倍解像度または１視点２倍解像度の立体映像データを出力しているとき、伝送帯域が下がり、または残記録可能領域が減ってきて、ビットレートを下げることが必要になったとき、さらに視点数×解像度で示す数を低減するものとして、１視点１倍解像度の立体映像データを選択し、選択した１視点１倍解像度の立体映像データを出力する。
【０１９１】
第２の例として示した立体映像データのデータ量の制御を含むデータ量制御処理を、立体映像データの視点数をｎとした一般例によって示すと以下のようになる。
【０１９２】
複数の視点の数がｎであり該複数の視点のそれぞれに対応する複数の画像データのそれぞれ最大解像度が該ｎである立体映像データを用い、前記ｎの約数を、ｎ（１）、ｎ（２）、・・・、ｎ（ｋ）［ただし、ｎ（１）＜ｎ（２）＜・・・＜ｎ（ｋ）］とし、解像度倍数をＡとしたＡ倍解像度を、最大解像度の立体映像データの（Ａ／ｎ）のデータ量を有する立体画像データの解像度とする。
【０１９３】
送信信号処理部１１と記録信号処理部２１は、ｎ視点ｎ倍解像度の立体映像データを有する第１の出力用立体映像データと、前記第１の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとを有する第２の出力用立体映像データと、前記第２の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとの中から１種類の立体映像データを除いた残りの立体映像データを有する第３の出力用立体映像データと、前記第３の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとの中から２種類の立体映像データを除いた残りの立体映像データを有する第４の出力用立体映像データと、第（ｍ−１）の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとの中から（ｍ−２）種類の立体映像データを除いた残りの立体映像データを有する第ｍの出力用立体映像データと（ただし、ｍは５以上かつｘ未満の整数とする。）、第（ｘ−１）の出力用立体映像データよりデータ量が少なく、ｎ視点１倍解像度の立体映像データと、ｎ（ｋ）視点ｎ（１）倍解像度の立体映像データと、ｎ（ｋー１）視点ｎ（２）倍解像度の立体映像データと、・・・、ｎ（１）視点ｎ（ｋ）倍解像度の立体映像データと、１視点ｎ倍解像度の立体映像データとのうち１種類の立体映像を有する第ｘの出力用立体映像データと、前記第ｘの出力用立体映像データよりデータ量が少なく、ｎ（ｋ）視点１倍解像度の立体映像データを有する第（ｘ＋１）の出力用立体映像データと、前記第（ｘ＋１）の出力用立体映像データよりデータ量が少なく、ｎ（ｋ−１）視点１倍解像度の立体映像データを有する第（ｘ＋２）の出力用立体映像データと、第（ｘ＋ａ）の出力用立体映像データよりデータ量が少なく、ｎ（ｋ−ａ）視点１倍解像度の立体映像データを有する第（ｘ＋ａ＋１）の出力用立体映像データと（ただし、ａは２以上の整数かつｋ−１未満の整数）、第（ｘ＋ｋ−１）の出力用立体映像データよりデータ量が少なく、ｎ（１）視点１倍解像度の立体映像データを有する第（ｘ＋ｋ）の出力用立体映像データと、前記第（ｘ＋ｋ）の出力用立体映像データよりデータ量が少なく、１視点１倍解像度の立体映像データを有する第（ｘ＋ｋ＋１）の出力用立体映像データとを、通信ネットワーク１３の通信状態または記録媒体２３の残記憶容量に基づき、択一的に出力する。
【０１９４】
なお、第１の例、第２の例とも、必ずしも前記すべてのデータ量削減変換を行う必要はなく、途中のデータ量削減変換を省略してもよい。例えば、６視点６倍解像度の立体映像データを出力しているとき、伝送帯域が下がり、または残記録可能領域が減ってきて、ビットレートを下げることが必要になったとき、いきなり３視点２倍解像度の立体映像データを出力するようにしてもよい。
【０１９５】
また、立体映像データのデータ量を削減していく途中に、前記にはない立体映像データが存在するようにしてもよい。例えば、２視点３倍解像度と３視点１倍解像度との立体映像データによって構成される立体映像データを出力するようにしてもよい。
【０１９６】
いずれの場合も、ビットレート低減のため、視点数×解像度で示される数の合計が大きい値から小さい値に向かってデータ量削減変換を行う。
【０１９７】
以上の例は、最大６視点６倍解像度の立体映像データに関して述べたが、立体映像データは、最大６視点６倍解像度の立体映像データに限らず、適宜変更可能である。
【０１９８】
例えば、最大８視点８倍解像度の映像であれば、図３に相当するのが８視点１倍解像度、図４に相当するのが８視点８倍解像度、図５に相当するのが４視点２倍解像度、図６に相当するのが２視点４倍解像度、図７に相当するのが１視点８倍解像度、図８に相当するのが４視点１倍解像度、図９に相当するのが２視点１倍解像度、図１０に相当するのが１視点１倍解像度の立体映像データとなる。
【０１９９】
図２に示した立体映像データ記録装置では、残記録可能領域により、記録媒体２３に記録済の立体映像データのデータ量を削減して再記録するようにしてもよい。
【０２００】
また、図２に示した立体映像データ記録装置では、残記録可能領域により、今後記録する立体映像データのデータ量を制御するだけでなく、記録媒体２３に記録済の立体映像データのデータ量を前記データ量制御処理の実行により削減して再記録するようにしてもよい。
【０２０１】
残記録可能領域に基づき記録媒体２３に記録済の立体映像データのデータ量を削減して再記録することにより、記録媒体２３に記録できる立体映像データを増やすことができる。また、記録媒体２３の記録容量が十分残っているときは、データ量の削減割合を低くできる。
【０２０２】
また、記録媒体２３に記録済の立体映像データのデータ量を前記データ量制御処理の実行により削減して再記録するので、再記録された立体映像データを、再記録される前の立体映像データの視点数を低減し、残った視点に対応する画像の解像度を維持するようにデータ量が削減された立体映像データ、または再記録される前の立体映像データの視点数を低減し、残った視点に対応する画像の解像度を低減するようにデータ量が削減された立体映像データにできる。
【０２０３】
図１５は、記録媒体２３に記録済の立体映像データのデータ量を削減して、ビットレートを低減する例を説明するための説明図である。
【０２０４】
図１５において、１５１と１５２と１５３と１５４は、記録媒体２３に記録済みの６視点６倍解像度立体映像データであり、１５５は、６視点６倍解像度で新しく記録されている立体映像データである。
【０２０５】
記録媒体２３に記録されている各立体映像データには、再圧縮の順序を示す再圧縮フラグが以下のように付加されているものとする。換言すると、記録媒体２３に記録されている各立体映像データには、データ量削減の優先度が高いことを示す再圧縮フラグが付加されている。
【０２０６】
立体映像データ１５１に対しては、レベル３を示す再圧縮フラブが付加されている。立体映像データ１５２に対しては、レベル１（最初に再圧縮）を示す再圧縮フラグが付加されている。立体映像データ１５３に対しては、レベル２を示す再圧縮フラグが付加されている。立体映像データ１５４に対しては、レベル４を示す再圧縮フラグが付加されている。立体映像データ１５５に対しては、レベル５（最後に再圧縮）を示す再圧縮フラグが付加されている。
【０２０７】
なお、本実施例では、再圧縮フラグのレベルで示された数が小さいほど、データ量削減の優先度が高いことを示す。また、レベル６は再圧縮禁止とする。
【０２０８】
最初は、図１５（ａ）に示すように、コンテンツ（立体映像データ）１５１、１５２、１５３および１５４が記録され、次のコンテンツ（立体映像データ）１５５記録中に、第１次残容量不足予測点１５６１まで記録が進むと、ディスク管理部２６により、第１次再圧縮命令が発行（出力）される。
【０２０９】
第１次再圧縮命令の発行（出力）により、図１５（ｂ）に示すように、再圧縮フラグレベル１が付加されているコンテンツ（立体映像データ）１５２が再生実行部２４で読み取られ、再生信号処理部２５で復元され、再圧縮部２７へ出力される。
【０２１０】
再圧縮部２７は、再生信号処理部２５が出力した６視点６倍解像度の立体映像データであるコンテンツ１５２に対してデータ量制御処理を行う。
【０２１１】
具体的には、再圧縮部２７は、６視点１倍解像度の立体映像データと３視点２倍解像度の立体映像データと２視点３倍解像度の立体映像データと１視点６倍解像度データの立体映像データを所望の立体映像データとして選択し、６視点６倍解像度の立体映像データを、選択した所望の立体映像データによって構成される立体映像データへ変換する。
【０２１２】
変換された立体映像データは、６視点６倍解像度の立体映像データよりデータ量が少なくなる。
【０２１３】
以下、変換された立体映像データ（具体的には、図１１に示した画像データ１１１〜１１６）を「マルチ視点解像度データ」と称する。
【０２１４】
再圧縮部２７は、データ量を削減した立体映像データを記録信号処理部２１に出力する。
【０２１５】
記録信号処理部２１は、再圧縮部２７が出力した立体映像データを記録用信号に変換し、記録実行部２２に出力する。なお、記録信号処理部２１は、再圧縮部２７が出力した立体映像データを再圧縮してから記録用信号に変換するようにしてもよい。
【０２１６】
記録実行部２２は、再生実行部２４が記録媒体２３から立体映像データ１５２を読み出した記録領域に、記録信号処理部２１が出力する、立体映像データ１５２のデータ量が削減された立体映像データ１５２１を上書き記録する。
【０２１７】
ディスク管理部２６は、立体映像データ１５２が記録されていた記録領域の中で立体映像データ１５２１が記録されなかった領域である記録領域１５６２を開放する。なお、立体映像データ１５５は、６視点６倍解像度の立体映像データとして引き続き記録媒体２３に記録される。
【０２１８】
続いて、図１５（ｃ）に示すように、立体映像データ１５５がディスク終了点１５６３まで達すると、今度は立体映像データ１５５１として、マルチ視点解像度データで引き続き領域１５６２への上書き記録が行われる。
【０２１９】
その後、さらに第２次残容量不足予測点１５６４まで達すると、ディスク管理部２６により、第２次再圧縮命令が発行（出力）される。
【０２２０】
第２次再圧縮命令の発行（出力）により、図１５（ｄ）に示すように、再圧縮フラグレベル２が付加されている立体映像データ１５３に関して、上記と同様に再生およびデータ量制御処理によるマルチ視点解像度データへの再圧縮を行い、再圧縮された立体映像データ１５３１を、立体映像データ１５３が記録されていた記録領域に上書き記録する。
【０２２１】
ディスク管理部２６は、記録媒体２３内で立体映像データ１５３が記録されていた記録領域のうち立体映像データ１５３１が記録されなかった記録領域１５６５を開放する。
【０２２２】
立体映像データ１５５は、立体映像データ１５５１の後、立体映像データ１５５２として、マルチ視点解像度データで引き続き領域１５６５への上書き記録が行われる。
【０２２３】
その後、さらに第３次残容量不足予測点１５６６まで達すると、ディスク管理部２６により、第３次再圧縮命令が発行（出力）される。
【０２２４】
第３次再圧縮命令の発行（出力）により、図１５（ｅ）に示すように、再圧縮フラグレベル３が付加されている立体映像データ１５１に関して、上記と同様に再生およびデータ量制御処理によるマルチ視点解像度データへの再圧縮を行い、再圧縮された立体映像データ１５１１を、立体映像データ１５１が記録されていた記録領域に上書き記録する。
【０２２５】
ディスク管理部２６は、記録媒体２３内で立体映像データ１５１が記録されていた記録領域のうち立体映像データ１５１１が記録されなかった記録領域１５６７を開放する。
【０２２６】
立体映像データ１５５は、立体映像データ１５５２の後、立体映像データ１５５３として、マルチ視点解像度データで引き続き領域１５６７への上書き記録が行われる。
【０２２７】
その後、さらに第４次残容量不足予測点１５６８まで達すると、ディスク管理部２６により、第４次再圧縮命令が発行（出力）される。
【０２２８】
第４次再圧縮命令の発行（出力）により、図１５（ｆ）に示すように、再圧縮フラグレベル４が付加されている立体映像データ１５４に関して、上記と同様に再生およびデータ量制御処理によるマルチ視点解像度データへの再圧縮を行い、再圧縮された立体映像データ１５４１を、立体映像データ１５４が記録されていた記録領域に上書き記録する。
【０２２９】
ディスク管理部２６は、記録媒体２３内で立体映像データ１５４が記録されていた記録領域のうち立体映像データ１５４１が記録されなかった記録領域１５６９を開放する。
【０２３０】
立体映像データ１５５は、立体映像データ１５５３の後、立体映像データ１５５４として、マルチ視点解像度データで引き続き領域１５６９への上書き記録が行われる。
【０２３１】
その後、さらに第５次残容量不足予測点１５７０まで達すると、ディスク管理部２６により、第５次再圧縮命令が発行される。
【０２３２】
第５次再圧縮命令の発行（出力）により、図１５（ｇ）に示すように、再圧縮フラグレベル５が付加されている立体映像データ１５５に関して、上記と同様に再生およびデータ量制御処理によるマルチ視点解像度データへの再圧縮を行い、再圧縮された立体映像データ１５５５を、立体映像データ１５５が記録されていた記録領域に上書き記録する。
【０２３３】
ディスク管理部２６は、記録媒体２３内で立体映像データ１５５が記録されていた記録領域のうち立体映像データ１５５５が記録されなかった記録領域１５７１を開放する。
【０２３４】
立体映像データ１５５は、立体映像データ１５５３の後、立体映像データ１５５６として、マルチ視点解像度データで引き続き領域１５７１への上書き記録が行われる。
【０２３５】
なお、データ量が削減された立体映像データ１５１１、１５２１、１５３１、１５４１および１５５５のそれぞれは、立体映像データ１５１、１５２、１５３、１５４および１５５が記録されていた記録領域に上書きしなくてもよく、記録媒体２３上の未記録領域または開放された記録領域または開放される予定の記録領域のどの領域に記録してもよい。
【０２３６】
また、立体映像データ１５５を６視点６倍解像度のものとしたが、立体映像データ１５５の１５５１以降を６視点６倍解像度よりもデータ量が少ないマルチ視点解像度データとしてもよい。
【０２３７】
６視点６倍解像度データおよびマルチ視点解像度データは上記に限るものではなく、記録媒体２３に記録されている立体映像データに対して、再圧縮データの視点×解像度で示される数が小さければよい。換言すると、６視点６倍解像度データおよびマルチ視点解像度データは上記に限るものではなく、記録媒体２３に記録されている立体映像データに対して、再圧縮データのデータ量が小さければよい。
【０２３８】
図１５を参照して説明した記録済み立体映像データのデータ量削減動作を行うタイミングは、記録媒体２３上の未記録領域の容量が一定値を下回ったとき、ディスク管理部２６がデータ量削減動作を必要と判断し、記録済み立体映像データのデータ量削減動作としての再圧縮を実行してもよい。
【０２３９】
また、記録媒体２３上の未記録領域における今後記録可能な時間が一定値を下回ったとき、ディスク管理部２６がデータ量削減動作を必要と判断し、記録済み立体映像データのデータ量削減動作としての再圧縮を実行してもよい。
【０２４０】
また、立体映像データにより提供されている現在記録中の番組を最後まで記録媒体２３に記録しようとすると、記録媒体２３の未記録領域がオーバーフローするとき、ディスク管理部２６がデータ量削減動作を必要と判断し、記録済み立体映像データのデータ量を削減する動作としての再圧縮を実行してもよい。
【０２４１】
また、タイマー録画において、予約された記録総時間分の番組を記録媒体２３に記録しようとすると、記録媒体２３の未記録領域がオーバーフローするとき、ディスク管理部２６がデータ量削減動作を必要と判断し、記録済み立体映像データのデータ量を削減する動作としての再圧縮を実行してもよい。
【０２４２】
タイマー録画の場合、「毎日」、「毎週」などの定期的記録がセットされているとき、定期的記録の記録済み立体映像データのデータ量を削減する動作を行わなくてもよいし、「毎日」、「毎週」などの定期的記録の記録時間を、予約された記録総時間の計算から除いて記録済み立体映像データのデータ量を削減する動作を行ってもよい。
【０２４３】
図１６は、記録媒体２３に記録済の立体映像データのデータ量を削減して、ビットレートを低減する他の例を説明するための説明図である。
【０２４４】
図１６において、１６１と１６２と１６３と１６４は、記録媒体２３に記録済みの６視点６倍解像度立体映像データであり、１６５は、６視点６倍解像度で新しく記録されている立体映像データである。
【０２４５】
記録媒体２３に記録されている各立体映像データには、再圧縮の順序を示す再圧縮フラグが以下のように付加されているものとする。換言すると、記録媒体２３に記録されている各立体映像データには、データ量削減の優先度が高いことを示す再圧縮フラグが以下のように付加されている。
【０２４６】
立体映像データ１６１に対しては、レベル３を示す再圧縮フラブが付加されている。立体映像データ１６２に対しては、レベル１を示す再圧縮フラグが付加されている。立体映像データ１６３に対しては、レベル２を示す再圧縮フラグが付加されている。立体映像データ１６４に対しては、レベル４を示す再圧縮フラグが付加されている。立体映像データ１６５に対しては、レベル５（再圧縮禁止）を示す再圧縮フラグが付加されている。
【０２４７】
なお、本実施例では、再圧縮フラグのレベルで示された数が小さいほど、データ量削減の優先度が高いことを示す。また、レベル５は再圧縮禁止とする。
【０２４８】
最初は、図１６（ａ）に示すように、コンテンツ（立体映像データ）１６１、１６２、１６３および１６４が記録され、次のコンテンツ（立体映像データ）１６５記録中に、第１次残容量不足予測点１６６１まで記録が進むと、ディスク管理部２６により、第１次再圧縮命令が発行（出力）される。
【０２４９】
第１次再圧縮命令の発行（出力）により、図１６（ｂ）に示すように、再圧縮フラグレベル１が付加されている立体映像データ１６２が再生実行部２４で読み取られ、再生信号処理部２５で復元され、再圧縮部２７へ出力される。
【０２５０】
再圧縮部２７は、再生信号処理部２５が出力した６視点６倍解像度の立体映像データであるコンテンツ１６２に対してデータ量制御処理を行う。
【０２５１】
具体的には、再圧縮部２７は、６視点６倍解像度の立体映像データからデータ量を削減した、所望の立体映像データとして選択した１視点１倍解像度の立体映像データへ変換する。
【０２５２】
再圧縮部２７は、データ量を削減した立体映像データを記録信号処理部２１に出力する。
【０２５３】
記録信号処理部２１は、再圧縮部２７が出力した立体映像データを記録用信号に変換し、記録実行部２２に出力する。なお、記録信号処理部２１は、再圧縮部２７が出力した立体映像データを再圧縮してから記録用信号に変換するようにしてもよい。
【０２５４】
記録実行部２２は、再生実行部２４が記録媒体２３から立体映像データ１６２を読み出した記録領域に、記録信号処理部２１が出力する、立体映像データ１６２のデータ量が削減された立体映像データ１６２１を上書き記録する。
【０２５５】
ディスク管理部２６は、立体映像データ１６２が記録されていた記録領域の中で立体映像データ１６２１が記録されなかった領域である記録領域１６６２を開放する。
【０２５６】
さらに、再圧縮フラグレベル２が付加されている立体映像データ１６３に関して、再生およびデータ量制御処理による、所望の立体映像データとして選択した６視点１倍解像度立体映像データへの再圧縮を行い、再圧縮された立体映像データ１６３１を、立体映像データ１６３が記録されていた記録領域に上書き記録する。
【０２５７】
ディスク管理部２６は、立体映像データ１６３が記録されていた記録領域の中で立体映像データ１６３１が記録されなかった領域である記録領域１６６３を開放する。
【０２５８】
さらに、再圧縮フラグレベル３が付加されている立体映像データ１６１に関して、再生およびデータ量制御処理によるデータ量が削減された立体映像データ（所望の立体映像データとしてそれぞれ選択した６視点１倍解像度の立体映像データと１視点６倍解像度の立体映像データとにより構成された立体映像データ）への再圧縮を行い、再圧縮された立体映像データ１６１１を、立体映像データ１６１が記録されていた記録領域に上書き記録する。
【０２５９】
ディスク管理部２６は、立体映像データ１６１が記録されていた記録領域の中で立体映像データ１６１１が記録されなかった領域である記録領域１６６４を開放する。
【０２６０】
さらに、再圧縮フラグレベル４が付加されている立体映像データ１６４に関して、再生およびデータ量制御処理によるマルチ視点解像度データ（所望の立体映像としてそれぞれ選択した６視点１倍解像度の立体映像データと３視点２倍解像度の立体映像データと２視点３倍解像度の立体映像データと１視点６倍解像度の立体映像データとにより構成される立体映像データ）への再圧縮を行い、再圧縮された立体映像データ１６４１を、立体映像データ１６４が記録されていた記録領域に上書き記録する。
【０２６１】
ディスク管理部２６は、立体映像データ１６４が記録されていた記録領域の中で立体映像データ１６４１が記録されなかった領域である記録領域１６６５を開放する。
【０２６２】
立体映像データ１６５は、６視点６倍解像度で引き続き記録が行われ、ディスク終了点１６６６まで達すると、今度はデータ量が削減されたマルチ解像度データで引き続き立体映像データ１６５１、１６５２、１６５３および１６５４のように、記録領域１６６２、１６６３、１６６４および１６６５への上書き記録が行われ、記録可能領域がなくなると、記録を終了する。
【０２６３】
なお、データ量が削減された立体映像データ１６１１、１６２１、１６３１および１６４１のそれぞれは、立体映像データ１６１、１６２、１６３および１６４が記録されていた記録領域に上書きしなくてもよく、記録媒体２３上の未記録領域または開放された記録領域または開放される予定の記録領域のどの領域に記録してもよい。
【０２６４】
また、本実施例では、立体映像データ１６５を６視点６倍解像度のものとし、立体映像データ１６５の１６５１以降を６視点６倍解像度よりもデータ量が少ないマルチ視点解像度データとしたが、これに限らず、例えば、立体映像データ１６５の１６５１以降を６視点６倍解像度の立体映像データとしてもよい。
【０２６５】
また、立体映像データ１６５を６視点６倍解像度データとしたが、立体映像データ１６５の１６６１以降をマルチ解像度データとしてもよい。
【０２６６】
記録媒体２３に再記録される立体映像データは、６視点６倍解像度の立体映像データ、マルチ視点解像度データ、６視点１倍解像度と１視点６倍解像度との立体映像データ、６視点１倍解像度の立体映像データ、１視点１倍解像度の立体映像データに限るものではなく、再圧縮データの視点×解像度で示される数が小さくなる順序で選択されるものであればよい。
【０２６７】
換言すると、データ量を削減するために用いる立体映像データは、上記に限るものではなく、記録媒体２３に記録されている立体映像データに対して、再圧縮データのデータ量が小さければよい。
【０２６８】
図１７は、記録媒体２３に記録済の立体映像データのデータ量を削減して、ビットレートを低減するさらに他の例を説明するための説明図である。
【０２６９】
図１７において、１７１と１７２と１７３と１７４は、記録媒体２３に記録済みの６視点６倍解像度立体映像データであり、１７５は、６視点６倍解像度で新しく記録されている立体映像データである。
【０２７０】
記録媒体２３に記録されている各立体映像データには、再圧縮の順序を示す再圧縮フラグが以下のように付加されているものとする。換言すると、記録媒体２３に記録されている各立体映像データには、データ量削減の優先度が高いことを示す再圧縮フラグが付加されている。
【０２７１】
立体映像データ１７１に対しては、レベル３を示す再圧縮フラブが付加されている。立体映像データ１７２に対しては、レベル１を示す再圧縮フラグが付加されている。立体映像データ１７３に対しては、レベル２を示す再圧縮フラグが付加されている。立体映像データ１７４に対しては、レベル４を示す再圧縮フラグが付加されている。立体映像データ１７５に対しては、レベル５を示す再圧縮フラグが付加されている。
【０２７２】
なお、本実施例では、レベルで示された数が小さいほど、データ量削減の優先度が高いことを示す。また、レベル６は再圧縮禁止とする。
【０２７３】
最初は、図１７（ａ）に示すように、コンテンツ（立体映像データ）１７１、１７２、１７３および１７４が記録され、次のコンテンツ（立体映像データ）１７５の記録中に、第１次残容量不足予測点１７６１まで記録が進むと、ディスク管理部２６により、第１次再圧縮命令が発行（出力）される。
【０２７４】
第１次再圧縮命令の発行（出力）により、図１７（ｂ）に示すように、再圧縮フラグレベル１が付加されているコンテンツ（立体映像データ）１７２が再生実行部２４で読み取られ、再生信号処理部２５で復元され、再圧縮部２７へ出力される。
【０２７５】
再圧縮部２７は、再生信号処理部２５が出力した６視点６倍解像度の立体映像データであるコンテンツ１５２に対してデータ量制御処理を行う。
【０２７６】
具体的には、再圧縮部２７は、６視点６倍解像度の立体映像データを所望の立体映像データとして選択した１視点１倍解像度の立体映像データへ変換し、データ量を削減した立体映像データを記録信号処理部２１に出力する。
【０２７７】
記録信号処理部２１は、再圧縮部２７が出力した立体映像データを記録用信号に変換し、記録実行部２２に出力する。なお、記録信号処理部２１は、再圧縮部２７が出力した立体映像データを再圧縮してから記録用信号に変換するようにしてもよい。
【０２７８】
記録実行部２２は、再生実行部２４が記録媒体２３から立体映像データ１７２を読み出した記録領域に、記録信号処理部２１が出力する、立体映像データ１７２のデータ量が削減された立体映像データ１７２１を上書き記録する。
【０２７９】
ディスク管理部２６は、立体映像データ１７２が記録されていた記録領域の中で立体映像データ１７２１が記録されなかった領域である記録領域１７６２を開放する。なお、立体映像データ１７５は、６視点６倍解像度の立体映像データとして引き続き記録媒体２３に記録される。
【０２８０】
続いて、図１７（ｃ）に示すように、立体映像データ１７５がディスク終了点１７６３まで達すると、今度は立体映像データ１７５１として、マルチ視点解像度データ（所望の立体映像データとしてそれぞれ選択した６視点１倍解像度の立体映像データと３視点２倍解像度の立体映像データと２視点３倍解像度の立体映像データと１視点６倍解像度データの立体映像データとから構成される立体映像データ）で引き続き領域１７６２への上書き記録が行われる。
【０２８１】
その後、さらに第２次残容量不足予測点１７６４まで達すると、ディスク管理部２６により、第２次再圧縮命令が発行（出力）される。
【０２８２】
第２次再圧縮命令の発行（出力）により、図１７（ｄ）に示すように、再圧縮フラグレベル２が付加されている立体映像データ１７３に関して、再生および所望の立体映像データとして選択された６視点１倍解像度の立体映像データへの再圧縮処理を行い、再圧縮された立体映像データ１７３１を、立体映像データ１７３が記録されていた記録領域に上書き記録する。
【０２８３】
ディスク管理部２６は、立体映像データ１７３が記録されていた記録領域の中で立体映像データ１７３１が記録されなかった領域である記録領域１７６５を開放する。
【０２８４】
立体映像データ１７５は、立体映像データ１７５１の後、立体映像データ１７５２として、マルチ視点解像度データで引き続き領域１７６５への上書き記録が行われる。
【０２８５】
その後、さらに第３次残容量不足予測点１７６６まで達すると、ディスク管理部２６により、第３次再圧縮命令が発行（出力）される。
【０２８６】
第３次再圧縮命令の発行（出力）により、図１７（ｅ）に示すように、再圧縮フラグレベル３が付加されている立体映像データ１７１に関して、再生およびデータ量制御処理によるデータ量が削減された立体映像データ（所望の立体映像データとしてそれぞれ選択された６視点１倍解像度の立体映像データと１視点６倍解像度の立体映像データとによって構成される立体映像データ）への再圧縮を行い、再圧縮された立体映像データ１７１１を、立体映像データ１７１が記録されていた記録領域に上書き記録する。
【０２８７】
ディスク管理部２６は、立体映像データ１７１が記録されていた記録領域の中で立体映像データ１７１１が記録されなかった領域である記録領域１７６７を開放する。
【０２８８】
立体映像データ１７５は、立体映像データ１７５２の後、立体映像データ１７５３として、マルチ視点解像度データで引き続き領域１７６７への上書き記録が行われる。
【０２８９】
その後、さらに第４次残容量不足予測点１７６８まで達すると、ディスク管理部２６により、第４次再圧縮命令が発行（出力）される。
【０２９０】
第４次再圧縮命令の発行（出力）により、図１７（ｆ）に示すように、再圧縮フラグレベル４が付加されている立体映像データ１７４に関して、再生およびデータ量制御処理によるデータ量が削減された立体映像データ（所望の立体映像データとしてそれぞれ選択された６視点１倍解像度の立体映像データと２視点３倍解像度の立体映像データと１視点６倍解像度の立体映像データとによって構成された立体映像データ）への再圧縮を行い、再圧縮された立体映像データ１７４１を、立体映像データ１７４が記録されていた記録領域に上書き記録する。
【０２９１】
ディスク管理部２６は、立体映像データ１７４が記録されていた記録領域の中で立体映像データ１７４１が記録されなかった領域である記録領域１７６９を開放する。
【０２９２】
立体映像データ１７５は、立体映像データ１７５３の後、立体映像データ１７５４として、マルチ視点解像度データで引き続き領域１７６９への上書き記録が行われる。
【０２９３】
その後、さらに第５次残容量不足予測点１７７０まで達すると、ディスク管理部２６により、第５次再圧縮命令が発行（出力）される。
【０２９４】
第５次再圧縮命令の発行（出力）により、図１７（ｇ）に示すように、再圧縮フラグレベル５が付加されている立体映像データ１７５に関して、再生およびデータ量制御処理によるデータ量が削減された立体映像データ、具体的にはマルチ視点解像度データへの再圧縮を行い、再圧縮された立体映像データ１７５５を、立体映像データ１７５が記録されていた記録領域に上書き記録する。
【０２９５】
ディスク管理部２６は、立体映像データ１７５が記録されていた記録領域の中で立体映像データ１７５５が記録されなかった領域である記録領域１７７１を開放する。
【０２９６】
記録中の立体映像データ１７５は、立体映像データ１７５４の後、立体映像データ１７５６として、マルチ視点解像度データで引き続き領域１７７１への上書き記録が行われ、記録媒体２３に記録可能領域がなくなると記録を終了する。
【０２９７】
なお、データ量が削減された立体映像データ１７１１、１７２１、１７３１、１７４１および１７５５のそれぞれは、立体映像データ１７１、１７２、１７３、１７４および１７５が記録されていた記録領域に上書きしなくてもよく、記録媒体２３上の未記録領域または開放された記録領域または開放される予定の記録領域のどの領域に記録してもよい。
【０２９８】
また、立体映像データ１７５を６視点６倍解像度データとしたが、立体映像データ１７５の１７６１以降をマルチ解像度データとしてもよい。
【０２９９】
立体映像データ１７５の１７６１以降、１７５１、１７５２、１７５３、１７５４および１７５５は、マルチ解像度データに限らず、適宜変更可能である。
【０３００】
記録媒体２３に再記録される立体映像データは、６視点６倍解像度の立体映像データ、マルチ視点解像度データ、６視点１倍解像度と２視点３倍解像度と１視点６倍解像度との立体映像データとからなる立体映像データ、６視点１倍解像度と１視点６倍解像度との立体映像データとからなる立体映像データ、６視点１倍解像度の立体映像データ、１視点１倍解像度の立体映像データでなくてもよく、再圧縮データの視点×解像度で示される数が小さくなる順序で選択されるものであればよい。
【０３０１】
なお、図１５に示す動作を複数回繰り返してもよい。
【０３０２】
例えば、記録媒体２３の残記録容量が一定値以下になったとき、再圧縮フラグレベルが小さい順にマルチ視点解像度データでの再圧縮を開始する。
【０３０３】
再圧縮後の再記録が終了し、新しい記録データの記録中に再度残記録容量が一定値以下になったとき、再圧縮フラグレベルが小さい順に６視点１倍解像度の立体映像データへの再圧縮を開始する。
【０３０４】
再圧縮後の再記録が終了し、新しい記録データの記録中に再度残記録容量が一定値以下になったとき、再圧縮優先フラグレベルが小さい順に１視点１倍解像度の立体映像データへの再圧縮を開始する。
【０３０５】
また、図１６に示す動作を複数回繰り返してもよい。
【０３０６】
例えば、記録媒体２３の残記録容量が一定値以下になったとき、再圧縮フラグとしてレベル１が付加された立体映像データを６視点１倍解像度の立体映像データに変換し、再圧縮フラグとしてレベル２が付加された立体映像データを６視点１倍解像度と１視点６倍解像度との立体映像データとを有する立体映像データに変換し、再圧縮フラグとしてレベル３が付加された立体映像データを６視点１倍解像度と２視点３倍解像度と１視点６倍解像度との立体映像データを有する立体映像データに変換し、再圧縮フラグとしてレベル４が付加された立体映像データをマルチ視点解像度データに変換する。
【０３０７】
再圧縮後の再記録が終了し、新しい記録データの記録中に再度残記録容量が一定値以下になったとき、再圧縮フラグとしてレベル１が付加された立体映像データを１視点１倍解像度の立体映像データに変換し、再圧縮フラグとしてレベル２が付加された立体映像データを１視点６倍解像度の立体映像データに変換し、再圧縮フラグとしてレベル３が付加された立体映像データを６視点１倍解像度と１視点６倍解像度データとの立体映像データを有する立体映像データに変換し、再圧縮フラグとしてレベル４が付加された立体映像データを６視点１倍解像度と２視点３倍解像度と１視点６倍解像度との立体映像データを有する立体映像データに変換する。
【０３０８】
また、図１７に示す動作を複数回繰り返じてもよい。
【０３０９】
例えば、再圧縮フラグとしてレベル５が再圧縮禁止としたとき、記録媒体２３の残記録容量が一定値以下になったとき、再圧縮フラグとしてレベル１が付加された立体映像データを６視点１倍解像度の立体映像データに変換する。
【０３１０】
さらに記録媒体２３の残記録容量が一定値以下になったとき、再圧縮フラグとしてレベル２が付加された立体映像データを６視点１倍解像度と１視点６倍解像度との立体映像データを有する立体映像データに変換する。
【０３１１】
さらに記録媒体２３の残記録容量が一定値以下になったとき、再圧縮フラグとしてレベル３が付加された立体映像データを６視点１倍解像度と２視点３倍解像度と１視点６倍解像度との立体映像データを有する立体映像データに変換する。
【０３１２】
さらに記録媒体２３の残記録容量が一定値以下になったとき、再圧縮フラグとしてレベル４が付加された立体映像データをマルチ解像度データに変換する。
【０３１３】
さらに、記録媒体２３の残記録容量が一定値以下になったとき、再圧縮フラグとしてレベル１が付加された立体映像データを１視点１倍解像度立体映像データに変換する。
【０３１４】
さらに記録媒体２３の残記録容量が一定値以下になったとき、再圧縮フラグとしてレベル２が付加された立体映像データを６視点１倍解像度の立体映像データに変換する。
【０３１５】
さらに記録媒体２３の残記録容量が一定値以下になったとき、再圧縮フラグとしてレベル３が付加された立体映像データを６視点１倍解像度と１視点６倍解像度との立体映像データを含む立体映像データに変換する。
【０３１６】
さらに記録媒体２３の残記録容量が一定値以下になったとき、再圧縮フラグとしてレベル４が付加された立体映像データを６視点１倍解像度と２視点３倍解像度と１視点６倍解像度の立体映像データとを有する立体映像データに変換する。
【０３１７】
また、再圧縮フラグとして、消去可能であることを示すレベル０を規定してもよい。この場合、記録媒体の残り記憶容量が少なくなった時点で、記録しておく必要性の低い立体映像データを消去することができ、記録媒体の記録容量を有効に利用することが可能となる。
【０３１８】
例えば、記録媒体２３の残り記録容量に基づき、ディスク管理部２６が、再圧縮フラグとしてレベル１〜レベル（ｎ−１）が付加された記録済みの立体映像データの再圧縮を行う前に、再圧縮フラグとしてレベル０が付加された立体映像データが記録されている記録媒体２３上の記録領域を開放し、消去に相当する動作を実行する。
【０３１９】
再圧縮フラグは、再圧縮フラグを手動にて設定するための再圧縮フラグ手動設定部としての入力部２８を介して手動で設定してもよい。この場合、ユーザーの好みに合わせて再圧縮フラブを設定可能となる。
【０３２０】
再圧縮フラグを手動で設定する場合、ホームサーバ等に立体映像データを記録する前に設定しても、立体映像データを記録中に設定しても、立体映像データを記録終了後に設定してもよい。
【０３２１】
再圧縮フラグを手動で設定する場合、データ量削減の優先度を示す再圧縮フラグとして「再圧縮する」「できるだけ再圧縮しない」のような表示にしてもよいし、「再圧縮レベル１」、「再圧縮レベル２」、「再圧縮レベル３」、「再圧縮レベル４」、「再圧縮しない」などと表示してもよい。
【０３２２】
また、再圧縮フラグを、再圧縮フラグを自動的に設定する再圧縮フラグ自動設定部としてのディスク管理部２６が自動的に設定してもよい。この場合、再圧縮フラグを手動で設定するという煩わしい作業を解消可能となる。
【０３２３】
以下、再圧縮フラグの自動設定の一例を説明する。
【０３２４】
ユーザーが、立体映像データによって表示される映像のジャンルに対しての優先度を手動にて設定するための分類優先度手動設定部としての入力部２８を用いて、立体映像データによって表示される映像の好みのジャンルの順序（優先度）を、予めディスク管理部２６に登録しておく。
【０３２５】
ディスク管理部２６は、入力部にて登録されたジャンルに対する順序（優先度）に対応する再圧縮フラグを自動的に設定する。
【０３２６】
例えば、ユーザーが、予めあまり好まないことを示す優先度小から非常に好むことを示す優先度大にかけて、優先度レベル１：ニュースおよび天気予報、優先度レベル２：スポーツ、優先度レベル３：映画、優先度レベル４：音楽番組、優先度レベル５：バラエティー、優先度レベル６：ドラマ、と登録したとする。
【０３２７】
なお、優先度レベルは、ユーザーの好みの順序を示し、優先度レベルの数値が大きいほどユーザーが好むものとする。
【０３２８】
このとき、ディスク管理部２６は、再圧縮フラグに関して、優先度レベル１を再圧縮フラグレベル１、優先度レベル２を再圧縮フラグレベル２、優先度レベル３を再圧縮フラグレベル３、優先度レベル４を再圧縮フラグレベル４、優先度レベル５を再圧縮フラグレベル５、優先度レベル６を再圧縮フラグレベル６とする。
【０３２９】
なお、再圧縮フラグレベルは、データ量削減の優先度を示し、再圧縮フラグレベルの数値が小さいほどデータ量削減の優先度が高いものとする。
【０３３０】
そして、立体映像データを記録媒体２３に記録する際、ディスク管理部２６は、ＥＰＧ（Ｅｌｅｃｔｒｏｎｉｃ  Ｐｒｏｇｒａｍｍｉｎｇ  Ｇｕｉｄｅ：電子番組ガイド）、データ放送などにより送られてくる立体映像データによる番組のジャンルを読み取り、読み取ったジャンルに応じた再圧縮フラグを、そのジャンルが設定されている立体映像データに付加する。
【０３３１】
再圧縮フラグの自動設定の他の例を説明する。
【０３３２】
ユーザーが記録および／または再生する立体映像データからディスク管理部２６がジャンルを読み取り、ユーザーが好むジャンルをディスク管理部２６が自動的に判定するとともにユーザーが好むジャンルに対して再圧縮フラグを割り当て、その判定結果にしたがって、記録する立体映像データのジャンルに応じた再圧縮フラグを記録する立体映像データに対してディスク管理部２６が自動的に設定する。
【０３３３】
なお、分類優先度自動設定部としてのディスク管理部２６は、記録媒体２３に記録される立体映像データおよび／または記録媒体２３から読み取られる立体映像データに基づき、立体映像データによって表示される映像のジャンルに対しての優先度を自動的に設定し、設定されたジャンルに対しての優先度に対応する再圧縮フラグを自動的に設定する。
【０３３４】
例えば、ユーザーが立体映像データを記録および／または再生した合計時間が、ニュースおよび天気予報が１時間、スポーツが３時間、映画が４時間、音楽番組が６時間、バラエティーが８時間、ドラマが１０時間とすると、ディスク管理部２６は、優先度レベル１：ニュースおよび天気予報、優先度レベル２：スポーツ、優先度レベル３：映画、優先度レベル４：音楽番組、優先度レベル５：バラエティー、優先度レベル６：ドラマとする。
【０３３５】
ディスク管理部２６は、再圧縮フラグに関して、優先度レベル１を再圧縮フラグレベル１、優先度レベル２を再圧縮フラグレベル２、優先度レベル３を再圧縮フラグレベル３、優先度レベル４を再圧縮フラグレベル４、優先度レベル５を再圧縮フラグレベル５、優先度レベル６を再圧縮フラグレベル６と割り当てる。
【０３３６】
そして、立体映像データの記録時、ディスク管理部２６は、ＥＰＧ、データ放送などにより送られてくる立体映像データでの番組のジャンルを読み取り、記録する立体映像データに対して自動的にジャンルに応じた再圧縮フラグを付加する。
【０３３７】
ユーザーが立体映像データを記録および／または再生した合計時間の算出の仕方に関しては、以下のような計算方法を用いてもよい。
【０３３８】
ディスク管理部２６は、立体映像データによって表示される映像のジャンルごとに、記録媒体２３に記録された立体映像データの総記録時間をカウントするとともに該ジャンルごとの総記録時間に第１の係数を乗じる。
【０３３９】
ディスク管理部２６は、立体映像データによって表示される映像のジャンルごとに、記録媒体２３から読み取られた立体映像データの総再生時間をカウントするとともに該ジャンルごとの総再生時間に第２の係数を乗じる。
【０３４０】
ディスク管理部２６は、第１の係数を乗じたジャンルごとの総記録時間と第２の係数を乗じたジャンルごとの総再生時間とを、ジャンルごとに加算し、該加算して得られた時間の長さに基づいてジャンルに対しての優先度を自動的に設定する。
【０３４１】
例えば、ディスク管理部２６は、ユーザーがあるジャンルの立体映像データを記録した時間に係数Ａを乗じ、該あるジャンルの立体映像データを再生した時間に係数Ｂを乗じ、それらを加算する。例えば、Ａ＝０．６、Ｂ＝０．４とし、立体映像データのドラマを記録した時間を３時間、再生した時間を７時間とすると、ドラマの優先度を決めるためのユーザー好み値は、０．６×３＋０．４×７＝４．６となる。
【０３４２】
そして、ディスク管理部２６は、このユーザー好み値が小さい方のジャンルを優先度レベル小、大きい方のジャンルを優先度レベル大とする。この場合、ユーザーが好むジャンルを自動的に検出でき、その検出に応じて再圧縮フラグを設定可能となる。
【０３４３】
再圧縮フラグの自動設定のさらに他の例を説明する。
【０３４４】
立体映像データによって表示される映像のジャンルに対しての優先度が予めディスク管理部２６に規定され、ディスク管理部２６は、規定されたジャンルに対しての優先度に対応する再圧縮フラグを自動的に設定する。
【０３４５】
具体的には、立体映像データによって表示される映像のジャンルによる立体映像必要性の大きさがあらかじめディスク管理部２６に規定されており、その順序に従ってディスク管理部２６は再圧縮フラグを付加する。
【０３４６】
例えば、一般的に最も立体映像必要性が小さいジャンルをニュースおよび天気予報、以下、立体映像必要性が大きくなる順に、映画、バラエティー、ドラマ、音楽番組と続き、最も立体映像必要性が大きいジャンルをスポーツとする。あらかじめ、このように立体映像必要性とジャンルの関係を決めておく。この関係は、入力部２８を用いてディスク管理部２６に設定してもよい。
【０３４７】
そして、この一般的に立体映像必要性が小さい方のジャンルを優先度レベル小、大きい方のジャンルを優先度レベル大とする。この場合、例えば、立体映像必要性に対応して再圧縮フラグを設定可能となる。
【０３４８】
再圧縮フラグの自動設定のさらに他の例を説明する。
【０３４９】
記録媒体に記録される立体映像データの情報量に基づき、記録媒体に記録される立体映像データに付加する再圧縮フラグを、ディスク管理部２６が自動的に設定する。
【０３５０】
例えば、立体映像データを記録媒体２３に記録する際に、記録する立体映像データの情報量（データ量）をディスク管理部２６が計測し、情報量が小さいコンテンツ（立体映像データ）を優先度レベル小（再圧縮フラグレベル小）として先に再圧縮を行い、情報量が大きいコンテンツ（立体映像データ）を優先度レベル大（再圧縮フラグレベル大）として、できるだけ再圧縮を行わないようにする。
【０３５１】
立体映像データの情報量（データ量）に関しては、例えば以下のように定義する。
【０３５２】
初回圧縮時の量子化前の多視点立体映像全データの絶対値和または２乗和、またはＡＣ（交流）成分の全データの絶対値和または２乗和を立体映像データの情報量（データ量）とする。
【０３５３】
即ち、例えばＭＰＥＧ−２をはじめとする、動き補償ＤＣＴ（離散コサイン変換：Ｄｉｓｃｒｅｔｅ  Ｃｏｓｉｎｅ  Ｔｒａｎｓｆｏｒｍ）＋量子化、可変長符号化方式により画像データ圧縮を行う場合、動き補償ＤＣＴを行ったデータに対して、全データの絶対値の和または２乗和、またはＡＣ（交流）成分の全データの絶対値の和または２乗和を１ピクチャーに渡って積算計算し、それを当該ピクチャーの情報量とする。
【０３５４】
そして、各コンテンツ（立体映像データ）において、構成する全ピクチャーの情報量を積算し、その値をコンテンツ（立体映像データ）の情報量とする。
【０３５５】
再圧縮フラグの自動設定のさらに他の例を説明する。
【０３５６】
ディスク管理部２６は、記録媒体２３から仮消去された立体映像データに対して再圧縮フラグにおける低いレベルの優先度を付加する。換言すると、ディスク管理部２６は、記録媒体２３から仮消去された立体映像データに対して、データ量削減の優先度が高いことを示す再圧縮フラグを付与する。この場合、必要性の低い立体映像データを自動的に削除可能となる。
【０３５７】
なお、仮消去された立体映像データとは、記録された立体画像データに対してユーザーにより消去の指示がなされても仮消去立体画像データとして記録媒体２３に保管された立体映像データのことである。
【０３５８】
例えば、コンテンツ（立体映像データ）１、２、３が記録媒体２３に記録されており、コンテンツ（立体映像データ）２が仮消去状態となっているとき、ディスク管理部２６は、コンテンツ（立体映像データ）２に対して再圧縮フラグレベル１または０を付加し、コンテンツ１、３に対して再圧縮フラグレベル２を付加する。
【０３５９】
他の例としては、仮消去された立体映像データを含む、連続して記録された立体映像データを再圧縮フラグにおける低いレベルの優先度とする。換言すると、記録媒体２３から仮消去された立体映像データを含む記録媒体に連続して記録された立体映像データに対して、データ量削減の優先度が高いことを示す再圧縮フラグを付与する。
【０３６０】
例えば、コンテンツ（立体映像データ）１、２、３が記録媒体２３に記録されており、コンテンツ（立体映像データ）２の一部が仮消去状態となっているとき、ディスク管理部２６は、コンテンツ（立体映像データ）２に対して再圧縮フラグレベル１または０を付加し、コンテンツ（立体映像データ）１、３に対して再圧縮フラグレベル２を付加する。この場合、必要性の低い立体映像データを自動的に削除可能となる。
【０３６１】
なお、図１５ないし図１７を用いて示した動作において、第ｋ次残容量不足予測点に関しては、順序さえ合っていれば図示した位置でなくてもよく、例えば１５６１の直後に１５６４があってもよい。
【０３６２】
以上説明した実施例において、図示した構成は単なる一例であって、本発明はその構成に限定されるものではない。
【０３６３】
【発明の効果】
本発明によれば、制御信号出力部が出力する制御信号に基づき、入力する立体映像データと、入力する立体映像データから視点数を下げた立体映像データと、入力する立体映像データから解像度を下げた立体映像データと、入力する立体映像データから視点数および解像度とを下げた立体映像データとの中から、所望の立体映像データを１つまたは複数選択し、選択した立体映像データに応じた立体映像データを出力用立体映像データとして出力する。
【０３６４】
したがって、制御信号に基づき所望の立体映像データを適応的に選択することが可能となり、この選択により、制御信号に基づき立体映像データのデータ量を削減する際に、立体映像データの視点数を低減し、残った視点に対応する画像の解像度を維持するようにデータ量を削減する、または立体映像データの視点数を低減し、残った視点に対応する画像の解像度を低減するようにデータ量を削減することが可能となる。
【図面の簡単な説明】
【図１】本発明の一実施例の立体映像データ伝送装置を示すブロック図である。
【図２】本発明の一実施例の立体映像データ記録装置を示すブロック図である。
【図３】６視点１倍解像度の立体映像データの一例を示した説明図である。
【図４】６視点６倍解像度の立体映像データの一例を示した説明図である。
【図５】３視点２倍解像度の立体映像データの一例を示した説明図である。
【図６】２視点３倍解像度の立体映像データの一例を示した説明図である。
【図７】１視点６倍解像度の立体映像データの一例を示した説明図である。
【図８】３視点１倍解像度の立体映像データの一例を示した説明図である。
【図９】２視点１倍解像度の立体映像データの一例を示した説明図である。
【図１０】１視点１倍解像度の立体映像データの一例を示した説明図である。
【図１１】６視点１倍解像度と３視点２倍解像度と２視点３倍解像度と１視点６倍解像度と３視点１倍解像度と２視点１倍解像度と１視点１倍解像度との立体映像データをすべて有するために、最低限出力しなければならない立体映像データの一例を示した説明図である。
【図１２】６視点６倍解像度の立体映像データの出力例を示した説明図である。
【図１３】６視点６倍解像度の立体映像データの他の出力例を示した説明図である。
【図１４】図１１に示す全データを配置する一例を示した説明図である。
【図１５】記録済立体映像データのデータ量削減動作を説明するための説明図である。
【図１６】記録済立体映像データのデータ量削減の他の動作を説明するための説明図である。
【図１７】記録済立体映像データのデータ量削減のさらに他の動作を説明するための説明図である。
【図１８】従来の立体映像データ伝送記録装置を示したブロック図である。
【符号の説明】
１０      立体映像データ処理装置
１１      送信信号処理部
１２      送信実行部
１３      通信ネットワーク
１４      伝送管理部
２０      立体映像データ処理装置
２０１    データ量制御部
２１      記録信号処理部
２２      記録実行部
２３      記録媒体
２４      再生実行部
２５      再生信号処理部
２６      ディスク管理部
２７      再圧縮部
３１      ６視点１倍解像度の立体映像データ
３２      第１視点（○）の画像データ
３３      第２視点（●）の画像データ
３４      第３視点（□）の画像データ
３５      第４視点（■）の画像データ
３６      第５視点（◇）の画像データ
３７      第６視点（◆）の画像データ
４１      第１視点（○）の画像データ
４２      第２視点（●）の画像データ
４３      第３視点（□）の画像データ
４４      第４視点（■）の画像データ
４５      第５視点（◇）の画像データ
４６      第６視点（◆）の画像データ
５１      ３視点２倍解像度の立体映像データ
５２      第１視点（○）の画像データ
５３      第２視点（●）の画像データ
５４      第３視点（□）の画像データ
６１      ２視点３倍解像度の立体映像データ
６２      第１視点（○）の画像データ
６３      第２視点（●）の画像データ
７１      １視点６倍解像度の立体映像データ
７２      第１視点（○）の画像データ
８１      ３視点１倍解像度の立体映像データ
８２      第１視点（○）の画像データ
８３      第２視点（●）の画像データ
８４      第３視点  （□）の画像データ
９１      ２視点１倍解像度の立体映像データ
９２      第１視点（○）の画像データ
９３      第２視点（●）の画像データ
１０１      １視点１倍解像度の立体映像データ
１０２      第１視点（○）の画像データ
１１１      第１視点（○）の画像データ
１１２      第２視点（●）の画像データ
１１３      第３視点（□）の画像データ
１１４      第４視点（■）の画像データ
１１５      第５視点（◇）の画像データ
１１６      第６視点（◆）の画像データ
１２１      第１視点（○）の画像データ
１２２      第２視点（●）の画像データ
１２３      第３視点（□）の画像データ
１２４      第４視点（■）の画像データ
１２５      第５視点（◇）の画像データ
１２６      第６視点（◆）の画像データ
１３１      第１視点（○）の画像データ
１３２      第２視点（●）の画像データ
１３３      第３視点（□）の画像データ
１３４      第４視点（■）の画像データ
１３５      第５視点（◇）の画像データ
１３６      第６視点（◆）の画像データ
１４１      第１視点（○）の画像データ
１４２      第２視点（●）の画像データ
１４３      第３視点（□）の画像データ
１４４      第４視点（■）の画像データ
１４５      第５視点（◇）の画像データ
１４６      第６視点（◆）の画像データ
１５１、１５２、１５３、１５４  記録済み６視点６倍解像度立体映像データ
１５５      記録中６視点６倍解像度立体映像データ
１５１１、１５２１、１５３１、１５４１、１５５５  マルチ視点解像度データ
１５５１、１５５２、１５５３、１５５４、１５５６  マルチ視点解像度データ
１５６１    第１次残容量不足予測点
１５６２    開放される領域
１５６３    ディスク終了点
１５６４    第２次残容量不足予測点
１５６５    開放される領域
１５６６    第３次残容量不足予測点
１５６７    開放される領域
１５６８    第４次残容量不足予測点
１５６９    開放される領域
１５７０    第５次残容量不足予測点
１５７１    開放される領域
１６１、１６２、１６３、１６４  記録済み６視点６倍解像度立体映像データ
１６５      記録中６視点６倍解像度立体映像データ
１６１１、１６２１、１６３１、１６４１  低視点数×解像度倍数の立体映像データ
１６５１、１６５２、１６５３、１６５４  マルチ視点解像度データ
１６６１    第１次残容量不足予測点
１６６２    開放される領域
１６６３    開放される領域
１６６４    開放される領域
１６６５    開放される領域
１７１、１７２、１７３、１７４  記録済み６視点６倍解像度立体映像データ
１７５：６視点６倍解像度立体映像で新しく記録されているデータ
１７１１、１７２１、１７３１、１７４１、１７５５  低視点数×解像度倍数の立体映像データ
１７５１、１７５２、１７５３、１７５４、１７５６  マルチ視点解像度データ
１７６１    第１次残容量不足予測点
１７６２    開放される領域
１７６３    ディスク終了点
１７６４    第２次残容量不足予測点
１７６５    開放される領域
１７６６    第３次残容量不足予測点
１７６７    開放される領域
１７６８    第４次残容量不足予測点
１７６９    開放される領域
１７７０    第５次残容量不足予測点
１７７１    開放される領域
１８０１    ２視点立体映像データ
１８０２    左目画像
１８０３    右目画像
１８０４    画像圧縮部
１８０５    送信・記録部
１８０６    受信・再生部
１８０７    画像伸長部
１８０８    ２視点立体映像データ
【図１】
2004328463.tif 000003
【図２】
2004328463.tif 000004
【図３】
2004328463.tif 000005
【図４】
2004328463.tif 000006
【図５】
2004328463.tif 000007
【図６】
2004328463.tif 000008
【図７】
2004328463.tif 000009
【図８】
2004328463.tif 000010
【図９】
2004328463.tif 000011
【図１０】
2004328463.tif 000012
【図１１】
2004328463.tif 000013
【図１２】
2004328463.tif 000014
【図１３】
2004328463.tif 000015
【図１４】
2004328463.tif 000016
【図１５】
2004328463.tif 000017
【図１６】
2004328463.tif 000018
【図１７】
2004328463.tif 000019
【図１８】
2004328463.tif 000020